(57)【要約】  メディアアクセス制御（ＭＡＣ）レイヤと物理（ＰＨＹ）レイヤとを含む複数のプロトコルレイヤを有する通信デバイスにおける方法が、ＭＡＣレイヤにおいて、キャリアアグリゲーションのための複数のキャリアを選択すること（８１２）であって、キャリアの各々が、それぞれのハイブリッド自動再送要求（ＨＡＲＱ）エンティティに関連する、複数のキャリアを選択すること（８１２）と、ＭＡＣレイヤにおいて、トリガリングイベントに応答して、第１の通信デバイスによるサイドリンクキャリア再選択プロセスを始動すること（８１４）とを含む。関係するデバイスおよびコンピュータプログラム製品が開示される。【選択図】図８Ｂ
2021520720.tif 000002
【特許請求の範囲】
【請求項１】
メディアアクセス制御（ＭＡＣ）レイヤと物理（ＰＨＹ）レイヤとを含む複数のプロトコルレイヤを有する通信デバイスにおける方法であって、前記方法は、
前記ＭＡＣレイヤにおいて、キャリアアグリゲーションのための複数のキャリアを選択すること（８１２）であって、前記キャリアの各々が、それぞれのハイブリッド自動再送要求（ＨＡＲＱ）エンティティに関連する、複数のキャリアを選択すること（８１２）と、
前記ＭＡＣレイヤにおいて、トリガリングイベントに応答して、第１の通信デバイスによるサイドリンクキャリア再選択プロセスを始動すること（８１４）と
を含む、方法。
【請求項２】
前記サイドリンクキャリア再選択プロセスを始動することが、前記トリガリングイベントに関連するキャリアおよび関連するＨＡＲＱイベントについてのみ実施される、請求項１に記載の方法。
【請求項３】
前記サイドリンクキャリア再選択プロセスを始動することが、サイドリンク動作のために設定されたすべてのサイドリンクキャリアについて実施される、請求項１に記載の方法。
【請求項４】
前記サイドリンクキャリア再選択プロセスを始動した後に、前のキャリアを使用し続け、前記前のキャリア上でリソース再選択を実施することと、第２のサイドリンクキャリアを選択し、前記第２のサイドリンクキャリア上で第２のサイドリンクグラントを設定することと、前記サイドリンクキャリアを使用することを中止し、他のサイドリンクキャリアを選択しないこととのうちの少なくとも１つを実施すること
をさらに含む、請求項１に記載の方法。
【請求項５】
前記トリガリングイベントは、
特定のキャリア／ＨＡＲＱエンティティについて、ＳＬ＿ＲＥＳＯＵＲＣＥ＿ＲＥＳＥＬＥＣＴＩＯＮ＿ＣＯＵＮＴＥＲ＝０であり、かつ、前記ＳＬ＿ＲＥＳＯＵＲＣＥ＿ＲＥＳＥＬＥＣＴＩＯＮ＿ＣＯＵＮＴＥＲが１に等しかったとき、前記ＭＡＣが、等しい確率で、上位レイヤによって設定された確率を上回る、間隔［０、１］中の値をランダムに選択したこと、
特定のキャリア／ＨＡＲＱエンティティについて、前の秒中に、設定されたサイドリンクグラントにおいて指示されたリソース上でＭＡＣによって送信も再送信も実施されなかったこと、
特定のキャリア／ＨＡＲＱエンティティについて、ｓｌ−ＲｅｓｅｌｅｃｔＡｆｔｅｒが設定され、前記設定されたサイドリンクグラントにおいて指示されたリソース上の連続する未使用送信機会の数が、ｓｌ−ＲｅｓｅｌｅｃｔＡｆｔｅｒに等しいこと、および／または
特定のキャリアについて、リソースのプールが上位レイヤによって設定または再設定されること
のうちの少なくとも１つを含む、請求項２に記載の方法。
【請求項６】
前記トリガリングイベントは、
サイドリンクキャリアにおいて、設定されたサイドリンクグラントがないこと、
設定されたサイドリンクグラントが、設定されたＳＬグラントを伴うサイドリンクキャリアについて上位レイヤによって設定された最大許容変調符号化方式（ＭＣＳ）を使用することによってＲＬＣ  ＳＤＵを受け入れることができず、前記ＭＡＣエンティティが、前記ＲＬＣ  ＳＤＵをセグメント化しないことを選択すること、
設定されたサイドリンクグラントを伴う（１つまたは複数の）送信が、設定されたサイドリンクグラントを伴うサイドリンクキャリアについて、サイドリンク論理チャネル中のデータのレイテンシ要件を果たすことができないこと、および前記ＭＡＣが、単一のＭＡＣ  ＰＤＵに対応する（１つまたは複数の）送信を実施しないことを選択すること、
複数のキャリアにおける潜在的同時送信によってＵＥ能力および／または電力制限が経験されること、ならびに／あるいは
設定されたサイドリンクグラントを伴う送信は、前記ＵＥが、半二重制限により長時間前記キャリアをリッスン／検知することができないようなものであること
のうちの少なくとも１つを含む、請求項３に記載の方法。
【請求項７】
無線通信ネットワークとの無線ネットワーク通信を提供するように設定されたトランシーバ（４０１）と、
前記トランシーバに結合されたプロセッサ（４０３）と
を備える第１の無線デバイス（４００）であって、前記プロセッサが、前記トランシーバを通して無線ネットワーク通信を提供するように設定され、前記プロセッサが、請求項１から６のいずれか一項に記載の動作を実施するように設定された、第１の無線デバイス（４００）。
【請求項８】
無線端末が、請求項１から６のいずれか一項に従って実施するように適応された、無線デバイス（４００）。
【請求項９】
無線通信ネットワークの基地局（５００）であって、前記基地局が、
無線端末との無線ネットワーク通信を提供するように設定されたトランシーバ（５０１）と、
前記トランシーバに結合されたプロセッサ（５０３）と
を備え、前記プロセッサが、前記トランシーバを通して無線ネットワーク通信を提供するように設定され、前記プロセッサが、請求項１から６のいずれか一項に記載の動作を実施するように設定された、基地局（５００）。
【請求項１０】
無線アクセスネットワークの基地局（５００）であって、前記基地局が、請求項１から６のいずれか一項に従って実施するように適応された、基地局（５００）。
【請求項１１】
通信ネットワークにおいて動作するように設定された通信デバイス（４００、５００）の処理回路要素（４０３、５０３）によって実行されるべきプログラムコードを備えるコンピュータプログラムであって、それにより、前記プログラムコードの実行が、前記通信デバイス（４００、５００）に、請求項１から６のいずれか一項に記載の動作を実施させる、コンピュータプログラム。
【請求項１２】
通信ネットワークにおいて動作するように設定された通信デバイス（４００、５００）の処理回路要素（４０３、５０３）によって実行されるべきプログラムコードを含む非一時的記憶媒体を備えるコンピュータプログラム製品であって、それにより、前記プログラムコードの実行が、前記通信デバイス（４００、５００）に、請求項１から６のいずれか一項に記載の動作を実施させる、コンピュータプログラム製品。
【請求項１３】
メディアアクセス制御（ＭＡＣ）レイヤと物理（ＰＨＹ）レイヤとを含む複数のプロトコルレイヤを有する第１の通信デバイスにおける方法であって、前記方法は、
前記ＭＡＣレイヤにおいて、サイドリンクインターフェースを介した第２の通信デバイスへの送信のためのデータを受信すること（５０２）と、
前記ＭＡＣレイヤにおいて、前記データから、第１および第２のＭＡＣプロトコルデータユニット（ＰＤＵ）を生成すること（５０４）と、
前記ＰＨＹレイヤが、それぞれ、前記第２の通信デバイスへのサイドリンク送信における前記第１および第２のＭＡＣ  ＰＤＵの送信のために使用するべきである利用可能なキャリアのセットからの選択された第１および第２のキャリアの指示とともに、第１の送信時間間隔（ＴＴＩ）における同時送信のために前記ＭＡＣレイヤから前記ＰＨＹレイヤに前記第１および第２のＭＡＣ  ＰＤＵを提供すること（５０６）と、
前記ＭＡＣレイヤにおいて、前記ＰＨＹレイヤから確認応答を受信すること（５０８）であって、前記確認応答は、前記選択された第１および第２のキャリア上での前記第１および第２のＭＡＣ  ＰＤＵの前記同時送信が成功裡に実施されたか否かを指示する、確認応答を受信すること（５０８）と
を含む、方法。
【請求項１４】
前記ＰＨＹレイヤからの前記確認応答が否定応答（ＮＡＫ）を備え、前記ＮＡＫは、前記ＰＨＹレイヤが、前記ＭＡＣレイヤによって指示された前記それぞれの選択されたキャリア上で前記第１および第２のＭＡＣ  ＰＤＵのうちの少なくとも１つを送信することができなかったことを指示する、請求項１３に記載の方法。
【請求項１５】
前記確認応答は、前記選択された第１および第２のキャリア上でのそれぞれのＭＡＣ  ＰＤＵの送信が成功したかどうかを指示するフィードバックインジケータのアレイを備える、請求項１３または１４に記載の方法。
【請求項１６】
前記ＰＨＹレイヤから、前記ＭＡＣレイヤが将来において同時送信のために選択するべきでないキャリアの指示を受信すること（６０２）
をさらに含む、請求項１３から１５のいずれか一項に記載の方法。
【請求項１７】
前記ＰＨＹレイヤから、前記ＭＡＣレイヤが将来において同時送信のために選択するべきでないキャリアにおける時間／周波数リソースの指示を受信すること
をさらに含む、請求項１３から１６のいずれか一項に記載の方法。
【請求項１８】
前記ＭＡＣレイヤにおいて否定応答が受信されたＭＡＣ  ＰＤＵ送信について、
後続のＴＴＩにおける異なるキャリア上での同時送信から前記ＭＡＣ  ＰＤＵを除くことと、
前記ＰＨＹレイヤによって指示されたように異なるキャリアにおけるＭＡＣ  ＰＤＵの同時送信のために時間／周波数リソースを除く後続のＴＴＩにおける前記ＭＡＣ  ＰＤＵの送信のためのキャリア再選択および／またはリソース再選択をトリガすることと、
前記ＭＡＣ  ＰＤＵの１つまたは複数のＭＡＣサービスデータユニット（ＳＤＵ）を無線リンク制御（ＲＬＣ）バッファに返すことと、
前記ＭＡＣ  ＰＤＵ送信が不成功であったキャリア組合せおよび／または時間／周波数リソースに関係する情報を記憶することと、
成功裡に送信されなかった前記ＭＡＣ  ＰＤＵに関係する送信カウンタを進めることを控えることと
のうちの少なくとも１つを実施すること
をさらに含む、請求項１３から１７のいずれか一項に記載の方法。
【請求項１９】
前記送信カウンタが、再送信カウンタ、ＣＵＲＲＥＮＴ＿ＩＲＶカウンタおよび／またはＳＬ＿ＲＥＳＯＵＲＣＥ＿ＲＥＳＥＬＥＣＴＩＯＮ＿ＣＯＵＮＴＥＲを備える、請求項１８に記載の方法。
【請求項２０】
前記選択された第１および第２のキャリア上での前記第１および第２のＭＡＣ  ＰＤＵの送信が成功したことを前記確認応答が指示したことに応答して、前記第１および第２のキャリア上での同時送信が成功したことを指示する情報を記憶すること
をさらに含む、請求項１３から１９のいずれか一項に記載の方法。
【請求項２１】
前記ＰＨＹレイヤから、不成功の送信が再送信であったという指示を受信すること
をさらに含む、請求項１３から２０のいずれか一項に記載の方法。
【請求項２２】
前記ＰＨＹレイヤから、ＭＡＣ  ＰＤＵの不成功の送信が再送信であったという前記指示を受信したことに応答して、前記ＭＡＣ  ＰＤＵの送信をドロップすること
をさらに含む、請求項２１に記載の方法。
【請求項２３】
送信のための前記ＭＡＣレイヤにおいて受信された前記データが、無線リンク制御（ＲＬＣ）レイヤサービスデータユニット（ＳＤＵ）を備える、請求項１３に記載の方法。
【請求項２４】
前記ＰＨＹレイヤにおいて、前記第１および第２のＭＡＣ  ＰＤＵが、前記第１のＴＴＩ内に、それぞれ、前記第１および第２のキャリア上で送信され得るかどうかを評価すること（７０２）と、
前記評価に少なくとも部分的に基づいて、前記選択された第１および第２のキャリア上での前記第１および第２のＭＡＣ  ＰＤＵの同時送信が成功裡に実施されたか否かを指示する前記確認応答を生成すること（７０４）と
をさらに含む、請求項１３から２３のいずれか一項に記載の方法。
【請求項２５】
前記第１および第２のＭＡＣ  ＰＤＵが、前記第１のＴＴＩ内に、それぞれ、前記第１および第２のキャリア上で送信され得るかどうかを評価することは、前記ＰＨＹが、同時に前記第１および第２のキャリア上で送信することが可能であるかどうか、前記第１および第２のキャリア上での送信のための電力バジェットが圧倒されるかどうか、前記第１および第２のキャリア上での同時送信が、電力スペクトル密度（ＰＳＤ）不平衡につながり得るかどうか、強い干渉ノードが前記第１または第２のキャリア上で検出されるかどうか、前記第１または第２のキャリアが、サイドリンクデータを受信することまたはＵｕ送信を監視することのために忙しいかどうか、前記第１および第２のキャリアが、Ｕｕデータを受信または送信するために忙しいかどうか、ならびに前記ＰＨＹレイヤが、送信機切替え時間に対する制限により、前記第１および第２のキャリア上で送信することが可能であるかどうか、のうちの少なくとも１つに依存する、請求項２３に記載の方法。
【請求項２６】
無線通信ネットワークとの無線ネットワーク通信を提供するように設定されたトランシーバ（４０１）と、
前記トランシーバに結合されたプロセッサ（４０３）と
を備える第１の無線デバイス（４００）であって、前記プロセッサが、前記トランシーバを通して無線ネットワーク通信を提供するように設定され、前記プロセッサが、請求項１３から２５のいずれか一項に記載の動作を実施するように設定された、第１の無線デバイス（４００）。
【請求項２７】
無線端末が、請求項１３から２５のいずれか一項に従って実施するように適応された、無線デバイス（４００）。
【請求項２８】
無線通信ネットワークの基地局（５００）であって、前記基地局が、
無線端末との無線ネットワーク通信を提供するように設定されたトランシーバ（５０１）と、
前記トランシーバに結合されたプロセッサ（５０３）と
を備え、前記プロセッサが、前記トランシーバを通して無線ネットワーク通信を提供するように設定され、前記プロセッサが、請求項１３から２５のいずれか一項に記載の動作を実施するように設定された、基地局（５００）。
【請求項２９】
無線アクセスネットワークの基地局（５００）であって、前記基地局が、請求項１３から２５のいずれか一項に従って実施するように適応された、基地局（５００）。
【請求項３０】
通信ネットワークにおいて動作するように設定された通信デバイス（４００、５００）の処理回路要素（４０３、５０３）によって実行されるべきプログラムコードを備えるコンピュータプログラムであって、それにより、前記プログラムコードの実行が、前記通信デバイス（４００、５００）に、請求項１３から２５のいずれか一項に記載の動作を実施させる、コンピュータプログラム。
【請求項３１】
通信ネットワークにおいて動作するように設定された通信デバイス（４００、５００）の処理回路要素（４０３、５０３）によって実行されるべきプログラムコードを含む非一時的記憶媒体を備えるコンピュータプログラム製品であって、それにより、前記プログラムコードの実行が、前記通信デバイス（４００、５００）に、請求項１３から２５のいずれか一項に記載の動作を実施させる、コンピュータプログラム製品。
【請求項３２】
メディアアクセス制御（ＭＡＣ）レイヤと物理（ＰＨＹ）レイヤとを含む複数のプロトコルレイヤを有する通信デバイスにおける方法であって、前記方法は、
前記ＭＡＣレイヤにおいて、キャリアアグリゲーションのための複数のキャリアを選択すること（８０２）であって、前記キャリアの各々が、それぞれのハイブリッド自動再送要求（ＨＡＲＱ）エンティティに関連する、複数のキャリアを選択すること（８０２）と、
前記ＭＡＣレイヤにおいて、トリガリングイベントに応答して、第１の通信デバイスによるサイドリンクリソース再選択プロセスを始動すること（８０４）と、
前記トリガリングイベントに関連するキャリアの識別情報を決定すること（８０６）と
を含み、
前記サイドリンクリソース再選択プロセスを始動することが、前記トリガリングイベントに関連する前記キャリアおよび関連するＨＡＲＱイベントについてのみ実施される、方法。
【請求項３３】
前記サイドリンクリソース再選択プロセスを始動した後に、前のキャリアを使用し続け、前記前のキャリア上でリソース再選択を実施することと、第２のサイドリンクキャリアを選択し、前記第２のサイドリンクキャリア上でリソース再選択を実施し、前記第２のサイドリンクキャリア上で第２のサイドリンクグラントを設定することと、前記サイドリンクキャリアを使用することを中止し、他のサイドリンクキャリアを選択しないこととのうちの少なくとも１つを実施すること
をさらに含む、請求項３２に記載の方法。
【請求項３４】
無線通信ネットワークとの無線ネットワーク通信を提供するように設定されたトランシーバ（４０１）と、
前記トランシーバに結合されたプロセッサ（４０３）と
を備える第１の無線デバイス（４００）であって、前記プロセッサが、前記トランシーバを通して無線ネットワーク通信を提供するように設定され、前記プロセッサが、請求項３２または３３に記載の動作を実施するように設定された、第１の無線デバイス（４００）。
【請求項３５】
無線端末が、請求項３２または３３に従って実施するように適応された、無線デバイス（４００）。
【請求項３６】
無線通信ネットワークの基地局（５００）であって、前記基地局が、
無線端末との無線ネットワーク通信を提供するように設定されたトランシーバ（５０１）と、
前記トランシーバに結合されたプロセッサ（５０３）と
を備え、前記プロセッサが、前記トランシーバを通して無線ネットワーク通信を提供するように設定され、前記プロセッサが、請求項３２または３３に記載の動作を実施するように設定された、基地局（５００）。
【請求項３７】
無線アクセスネットワークの基地局（５００）であって、前記基地局が、請求項３２または３３に従って実施するように適応された、基地局（５００）。
【請求項３８】
通信ネットワークにおいて動作するように設定された通信デバイス（４００、５００）の処理回路要素（４０３、５０３）によって実行されるべきプログラムコードを備えるコンピュータプログラムであって、それにより、前記プログラムコードの実行が、前記通信デバイス（４００、５００）に、請求項３２または３３に記載の動作を実施させる、コンピュータプログラム。
【請求項３９】
通信ネットワークにおいて動作するように設定された通信デバイス（４００、５００）の処理回路要素（４０３、５０３）によって実行されるべきプログラムコードを含む非一時的記憶媒体を備えるコンピュータプログラム製品であって、それにより、前記プログラムコードの実行が、前記通信デバイス（４００、５００）に、請求項３２または３３に記載の動作を実施させる、コンピュータプログラム製品。
【請求項４０】
メディアアクセス制御（ＭＡＣ）レイヤと物理（ＰＨＹ）レイヤとを含む複数のプロトコルレイヤを有する第１の通信デバイスにおける方法であって、前記方法は、
前記ＭＡＣレイヤにおいて、サイドリンクインターフェースを介した第２の通信デバイスへの送信のためのデータを受信すること（９０２）と、
前記ＭＡＣレイヤにおいて、前記データから、第１および第２のＭＡＣプロトコルデータユニット（ＰＤＵ）を生成すること（９０４）と、
前記第１および第２のＭＡＣ  ＰＤＵを送信するための１つまたは複数のキャリアの利用可能性に関する前記ＰＨＹレイヤからの情報を受信すること（９０６）と、
前記ＰＨＹレイヤからの前記情報に基づいて、前記第１および第２のＭＡＣ  ＰＤＵの送信のための前記１つまたは複数のキャリアから第１および第２のキャリアを選択するためのキャリア選択または再選択プロシージャを実施すること（９０８）と、
前記選択された第１および第２のキャリアの指示とともに、第１の送信時間間隔（ＴＴＩ）における同時送信のために前記ＭＡＣレイヤから前記ＰＨＹレイヤに前記第１および第２のＭＡＣ  ＰＤＵを提供すること（９１０）と
を含む、方法。
【請求項４１】
前記ＰＨＹレイヤからの前記情報は、前記ＭＡＣレイヤが将来のＴＴＩにおいて同時送信のために選択するべきでないキャリアまたは前記キャリア上の時間／周波数リソースの指示を含む、請求項４０に記載の方法。
【請求項４２】
前記ＰＨＹレイヤからの前記情報は、前記ＰＨＹレイヤからの前記情報が指示する、送信のために利用不可能であるキャリア組合せおよび／または時間／周波数リソースの指示を含む、請求項４０に記載の方法。
【請求項４３】
前記ＰＨＹレイヤからの前記情報は、前記ＰＨＹレイヤからの前記情報が指示する、送信のために利用可能であるキャリア組合せおよび／または時間／周波数リソースの指示を含む、請求項４０に記載の方法。
【請求項４４】
前記ＰＨＹレイヤによって指示されたように異なるキャリアにおけるＭＡＣ  ＰＤＵの同時送信のために時間／周波数リソースを除く前記第１および第２のＭＡＣ  ＰＤＵのうちの少なくとも１つの送信のためのキャリア再選択および／またはリソース再選択をトリガすることと、
前記ＰＨＹレイヤからの前記情報が指示する、送信のために利用不可能であるキャリア組合せおよび／または時間／周波数リソースに関係する情報を記憶することと
をさらに含む、請求項４０から４３のいずれか一項に記載の方法。
【請求項４５】
前記第１および第２のＭＡＣ  ＰＤＵのうちの少なくとも１つの１つまたは複数のＭＡＣサービスデータユニット（ＳＤＵ）を無線リンク制御（ＲＬＣ）バッファに返すこと
をさらに含む、請求項４４に記載の方法。
【請求項４６】
送信のための前記ＭＡＣレイヤにおいて受信された前記データが、無線リンク制御（ＲＬＣ）レイヤサービスデータユニット（ＳＤＵ）を備える、請求項４０に記載の方法。
【請求項４７】
前記ＰＨＹレイヤにおいて、前記選択された第１および第２のキャリア上での前記第１および第２のＭＡＣ  ＰＤＵの同時送信が成功裡に実施され得るか否かの指示を生成することと、
前記指示を前記ＭＡＣレイヤに送信することと
をさらに含む、請求項４０から４６のいずれか一項に記載の方法。
【請求項４８】
前記第１および第２のＭＡＣ  ＰＤＵが、前記第１のＴＴＩ内に、それぞれ、前記第１および第２のキャリア上で送信され得るかどうかを評価することは、前記ＰＨＹが、同時に前記第１および第２のキャリア上で送信することが可能であるかどうか、前記第１および第２のキャリア上での送信のための電力バジェットが圧倒されるかどうか、前記第１および第２のキャリア上での同時送信が、電力スペクトル密度（ＰＳＤ）不平衡につながり得るかどうか、強い干渉ノードが前記第１または第２のキャリア上で検出されるかどうか、前記第１または第２のキャリアが、サイドリンクデータを受信することまたはＵｕ送信を監視することのために忙しいかどうか、前記第１および第２のキャリアが、Ｕｕデータを受信または送信するために忙しいかどうか、ならびに前記ＰＨＹレイヤが、送信機切替え時間に対する制限により、前記第１および第２のキャリア上で送信することが可能であるかどうか、のうちの少なくとも１つに依存する、請求項４７に記載の方法。
【請求項４９】
無線通信ネットワークとの無線ネットワーク通信を提供するように設定されたトランシーバ（４０１）と、
前記トランシーバに結合されたプロセッサ（４０３）と
を備える第１の無線デバイス（４００）であって、前記プロセッサが、前記トランシーバを通して無線ネットワーク通信を提供するように設定され、前記プロセッサが、請求項４０から４８のいずれか一項に記載の動作を実施するように設定された、第１の無線デバイス（４００）。
【請求項５０】
無線端末が、請求項４０から４８のいずれか一項に従って実施するように適応された、無線デバイス（４００）。
【請求項５１】
無線通信ネットワークの基地局（５００）であって、前記基地局が、
無線端末との無線ネットワーク通信を提供するように設定されたトランシーバ（５０１）と、
前記トランシーバに結合されたプロセッサ（５０３）と
を備え、前記プロセッサが、前記トランシーバを通して無線ネットワーク通信を提供するように設定され、前記プロセッサが、請求項４０から４８のいずれか一項に記載の動作を実施するように設定された、基地局（５００）。
【請求項５２】
無線アクセスネットワークの基地局（５００）であって、前記基地局が、請求項４０から４８のいずれか一項に従って実施するように適応された、基地局（５００）。
【請求項５３】
通信ネットワークにおいて動作するように設定された通信デバイス（４００、５００）の処理回路要素（４０３、５０３）によって実行されるべきプログラムコードを備えるコンピュータプログラムであって、それにより、前記プログラムコードの実行が、前記通信デバイス（４００、５００）に、請求項４０から４８のいずれか一項に記載の動作を実施させる、コンピュータプログラム。
【請求項５４】
通信ネットワークにおいて動作するように設定された通信デバイス（４００、５００）の処理回路要素（４０３、５０３）によって実行されるべきプログラムコードを含む非一時的記憶媒体を備えるコンピュータプログラム製品であって、それにより、前記プログラムコードの実行が、前記通信デバイス（４００、５００）に、請求項４０から４８のいずれか一項に記載の動作を実施させる、コンピュータプログラム製品。
【発明の詳細な説明】
【技術分野】
【０００１】
本開示は、一般に通信に関し、より詳細には、無線通信、ならびに関係する無線デバイスおよびネットワークノードに関する。
【背景技術】
【０００２】
サイドリンク（ＳＬ）は、セルラーベースのｌｏｎｇ−ｔｅｒｍ  ｅｖｏｌｕｔｉｏｎ（ＬＴＥ）無線アクセスネットワーク内でのデバイスツーデバイス（Ｄ２Ｄ）通信を可能にするＬＴＥ特徴である。たとえば、図１に示されているように、ＳＬは、データが基地局（ｅＮＢ）を通る必要がないように、近位のユーザ機器（ＵＥ）間の直接通信（すなわち、Ｄ２Ｄ）を可能にするために使用され得る。そのようなＤ２Ｄ通信は、公共安全および商用通信使用事例において、ならびにＶ２Ｘ（Ｖｅｈｉｃｌｅ−ｔｏ−Ｅｖｅｒｙｔｈｉｎｇ）シナリオに有用であり得る。Ｖ２Ｘ通信は、一般に、車両と歩行者とインフラストラクチャとの間の直接通信の任意の組合せを含む通信のタイプである。Ｖ２Ｘ通信は、利用可能なときに、ネットワークインフラストラクチャを使用し得るが、カバレッジの欠如が問題である場合も使用され得る。Ｖ２Ｘ通信は、非安全（ｎｏｎ−ｓａｆｅｔｙ）情報と安全情報の両方を搬送し得、アプリケーションおよびサービスの各々は、レイテンシ、信頼性、および容量に関する要件など、特定の要件セットに関連し得る。
【０００３】
欧州電気通信標準化機構（ＥＴＳＩ）は、道路安全のための２つのタイプのメッセージ、すなわち、（１）協調認識メッセージ（ＣＡＭ：Ｃｏ−ｏｐｅｒａｔｉｖｅ  Ａｗａｒｅｎｅｓｓ  Ｍｅｓｓａｇｅ）、および（２）分散環境通知メッセージ（ＤＥＮＭ：Ｄｅｃｅｎｔｒａｌｉｚｅｄ  Ｅｎｖｉｒｏｎｍｅｎｔａｌ  Ｎｏｔｉｆｉｃａｔｉｏｎ  Ｍｅｓｓａｇｅ）を規定した。ＣＡＭメッセージは、緊急車両を含む車両が、ブロードキャスト様式においてそれらの車両の存在および他の関連するパラメータを通知することを可能にすることが意図される。そのようなメッセージは、他の車両、歩行者、およびインフラストラクチャをターゲットにし、それらのアプリケーションによってハンドリングされる。ＣＡＭメッセージはまた、通常トラフィックのための安全運転に対するアクティブ支援として働く。ＣＡＭメッセージの利用可能性は、一般に、ほぼ１００ミリ秒（ｍｓ）ごとに指示的に検査され、たいていのメッセージについて１００ｍｓよりも小さいかまたはそれに等しい最大検出レイテンシ要件を生じる。しかしながら、事前クラッシュ検知警告のためのレイテンシ要件は５０ｍｓである。ＤＥＮＭメッセージは、制動によってなど、イベントによってトリガされる、イベントトリガ型メッセージであり、ＤＥＮＭメッセージの利用可能性も、一般に、ほぼ１００ｍｓごとに検査される。ＤＥＮＭメッセージの場合、最大レイテンシの要件は、１００ｍｓよりも小さいかまたはそれに等しい。ＣＡＭおよびＤＥＮＭメッセージのパッケージサイズは、一般に、１００バイト超から８００バイト超まで変動し、一般的なサイズは約３００バイトである。この点について、メッセージは、近傍にあるすべての車両によって検出されると考えられる。
【０００４】
また、自動車技術者協会（ＳＡＥ：Ｓｏｃｉｅｔｙ  ｏｆ  Ａｕｔｏｍｏｔｉｖｅ  Ｅｎｇｉｎｅｅｒｓ）は、様々な規定されたメッセージサイズをもつＤＳＲＣ（分散型短距離通信）のための基本安全メッセージ（ＢＳＭ）を規定した。メッセージの重要度および緊急度に従って、ＢＳＭは、さらに、そのようなメッセージを異なる優先度に分類する。
【発明の概要】
【０００５】
いくつかの実施形態は、メディアアクセス制御（ＭＡＣ）レイヤと物理（ＰＨＹ）レイヤとを含む複数のプロトコルレイヤを有する第１の通信デバイスにおける方法であって、ＭＡＣレイヤにおいて、サイドリンクインターフェースを介した第２の通信デバイスへの送信のためのデータを受信することと、ＭＡＣレイヤにおいて、データから、第１および第２のＭＡＣプロトコルデータユニット（ＰＤＵ）を生成することと、ＰＨＹレイヤが、それぞれ、第２の通信デバイスへのサイドリンク送信における第１および第２のＭＡＣ  ＰＤＵの送信のために使用するべきである利用可能なキャリアのセットからの選択された第１および第２のキャリアの指示とともに、第１の送信時間間隔（ＴＴＩ）における送信のためにＭＡＣレイヤからＰＨＹレイヤに第１および第２のＭＡＣ  ＰＤＵを提供することと、ＭＡＣレイヤにおいて、ＰＨＹレイヤから確認応答を受信することであって、確認応答は、選択された第１および第２のキャリア上での第１および第２のＭＡＣ  ＰＤＵの送信が成功裡に実施されたか否かを指示する、確認応答を受信することとを含む、方法を提供する。
【０００６】
いくつかのさらなる実施形態は、メディアアクセス制御（ＭＡＣ）レイヤと物理（ＰＨＹ）レイヤとを含む複数のプロトコルレイヤを有する通信デバイスにおける方法であって、ＭＡＣレイヤにおいて、キャリアアグリゲーションのための複数のキャリアを選択することであって、キャリアの各々が、それぞれのハイブリッド自動再送要求（ＨＡＲＱ）エンティティに関連する、複数のキャリアを選択することと、ＭＡＣレイヤにおいて、トリガリングイベントに応答して、第１の通信デバイスによるサイドリンクリソース再選択プロセスを始動することと、トリガリングイベントに関連するキャリアの識別情報を決定することとを含み、サイドリンクリソース再選択プロセスを始動することが、トリガリングイベントに関連するキャリアおよび関連するＨＡＲＱイベントについてのみ実施される、方法を提供する。
【０００７】
関係する無線通信デバイスも開示される。
【０００８】
いくつかの実施形態によるシステム／方法は、サイドリンクキャリアについてのキャリア再選択を向上させ、特に、サイドリンク上でＭＡＣ  ＰＤＵが同時に配信され得るキャリアの選択を向上させる、Ｖ２ＸデバイスにおけるＭＡＣレイヤとＰＨＹレイヤとの間のクロスレイヤシグナリングを提供する。
【０００９】
本開示のさらなる理解を提供するために含まれ、本出願に組み込まれ、本出願の一部をなす、添付の図面は、発明概念のいくつかの非限定的な実施形態を示す。
【図面の簡単な説明】
【００１０】
【図１】発明概念のいくつかの実施形態による、Ｖ２Ｘおよびデバイスツーデバイス通信が通信ネットワークにおいて示されている、無線デバイスＵＥを示す図である。
【図２】発明概念のいくつかの実施形態による、無線デバイスＵＥを示すブロック図である。
【図３】発明概念のいくつかの実施形態による、ネットワークノードｅＮＢを示すブロック図である。
【図４】Ｅ−ＵＴＲＡＮプロトコルレイヤを示すブロック図である。
【図５】発明概念のいくつかの実施形態による、システム／方法の動作を示すフローチャートである。
【図６】発明概念のいくつかの実施形態による、システム／方法の動作を示すフローチャートである。
【図７】発明概念のいくつかの実施形態による、システム／方法の動作を示すフローチャートである。
【図８Ａ】発明概念のいくつかの実施形態による、システム／方法の動作を示すフローチャートである。
【図８Ｂ】発明概念のいくつかの実施形態による、システム／方法の動作を示すフローチャートである。
【図９】発明概念のいくつかの実施形態による、システム／方法の動作を示すフローチャートである。
【図１０】いくつかの実施形態による、無線ネットワークのブロック図である。
【図１１】いくつかの実施形態による、ユーザ機器のブロック図である。
【図１２】いくつかの実施形態による、仮想化環境のブロック図である。
【図１３】いくつかの実施形態による、中間ネットワークを介してホストコンピュータに接続された通信ネットワークのブロック図である。
【図１４】いくつかの実施形態による、部分的無線接続上で基地局を介してユーザ機器と通信するホストコンピュータのブロック図である。
【図１５】いくつかの実施形態による、ホストコンピュータと、基地局と、ユーザ機器とを含む通信システムにおいて実装される方法のブロック図である。
【図１６】いくつかの実施形態による、ホストコンピュータと、基地局と、ユーザ機器とを含む通信システムにおいて実装される方法のブロック図である。
【図１７】いくつかの実施形態による、ホストコンピュータと、基地局と、ユーザ機器とを含む通信システムにおいて実装される方法のブロック図である。
【図１８】いくつかの実施形態による、ホストコンピュータと、基地局と、ユーザ機器とを含む通信システムにおいて実装される方法のブロック図である。
【発明を実施するための形態】
【００１１】
次に、発明概念の実施形態の例が示されている添付の図面を参照しながら、発明概念が以下でより十分に説明される。しかしながら、発明概念は、多くの異なる形態で具現され得、本明細書に記載される実施形態に限定されるものとして解釈されるべきではない。むしろ、これらの実施形態は、本開示が徹底的かつ完全であり、本発明概念の範囲を当業者に十分に伝達するように提供される。これらの実施形態は相互排他的でないことにも留意されたい。一実施形態からの構成要素が、別の実施形態において存在する／使用されると暗に仮定され得る。
【００１２】
以下の説明は、開示される主題の様々な実施形態を提示する。これらの実施形態は、教示例として提示され、開示される主題の範囲を限定するものと解釈されるべきではない。たとえば、説明される実施形態のいくらかの詳細は、説明される主題の範囲から逸脱することなく、変更、省略、または拡大され得る。
【００１３】
図２は、発明概念の実施形態による、無線通信を提供するように設定された（無線端末、無線通信デバイス、無線通信端末、ユーザ機器（ＵＥ）、ユーザ機器ノード／端末／デバイスなどとも呼ばれる）無線デバイスユーザ機器（２００）のエレメントを示すブロック図である。示されているように、無線デバイス２００は、アンテナ２０７と、（無線アクセスネットワーク（ＲＡＮ）とも呼ばれる）無線通信ネットワークの基地局ｅＮＢとのアップリンク無線通信およびダウンリンク無線通信を提供するように設定された送信機および受信機を含む（トランシーバとも呼ばれる）トランシーバ回路２０１とを含み得る。無線デバイス２００は、トランシーバ回路に結合された（プロセッサとも呼ばれる）プロセッサ回路２０３と、プロセッサ回路に結合された（メモリとも呼ばれる）メモリ回路２０５とをも含み得る。メモリ回路２０５は、プロセッサ回路２０３によって実行されたとき、プロセッサ回路に、本明細書で開示される実施形態による動作を実施させる、コンピュータ可読プログラムコードを含み得る。他の実施形態によれば、プロセッサ回路２０３は、別個のメモリ回路が必要とされないようなメモリを含むように規定され得る。無線デバイス２００は、プロセッサ２０３に結合された（ユーザインターフェースなどの）インターフェースをも含み得、および／または無線デバイス２００は、ＩｏＴおよび／またはＭＴＣデバイスであり得る。
【００１４】
本明細書で説明されるように、無線デバイス２００の動作は、プロセッサ２０３および／またはトランシーバ２０１によって実施され得る。たとえば、プロセッサ２０３は、無線通信ネットワークの基地局ｅＮＢに、無線インターフェース上でトランシーバ２０１を通してアップリンク通信を送信し、および／または無線インターフェース上で無線通信ネットワークの基地局ｅＮＢからトランシーバ２０１を通してダウンリンク通信を受信するように、トランシーバ２０１を制御し得る。その上、モジュールがメモリ２０５に記憶され得、これらのモジュールは、モジュールの命令がプロセッサ２０３によって実行されたとき、プロセッサ２０３がそれぞれの動作（たとえば、例示的な実施形態に関して以下で説明される動作）を実施するように、命令を提供し得る。
【００１５】
図３は、発明概念の実施形態による、セルラー通信を提供するように設定された（無線アクセスネットワーク（ＲＡＮ）とも呼ばれる）無線通信ネットワークの（ネットワークノード、基地局、ｅＮＢ、ｅノードＢ、ｇＮＢ、ｇノードＢなどとも呼ばれる）ノード３００のエレメントを示すブロック図である。示されているように、ネットワークノードは、無線デバイスとのアップリンク無線通信およびダウンリンク無線通信を提供するように設定された送信機および受信機を含む（トランシーバとも呼ばれる）トランシーバ回路３０１を含み得る。ネットワークノード３００は、ＲＡＮの他のノードとの（たとえば、他の基地局および／またはコアネットワークノードとの）通信を提供するように設定された（ネットワークインターフェースとも呼ばれる）ネットワークインターフェース回路３０７を含み得る。ネットワークノード３００は、トランシーバ回路に結合された（プロセッサとも呼ばれる）プロセッサ回路３０３と、プロセッサ回路に結合された（メモリとも呼ばれる）メモリ回路３０５とをも含み得る。メモリ回路３０５は、プロセッサ回路３０３によって実行されたとき、プロセッサ回路に、本明細書で開示される実施形態による動作を実施させる、コンピュータ可読プログラムコードを含み得る。他の実施形態によれば、プロセッサ回路３０３は、別個のメモリ回路が必要とされないようなメモリを含むように規定され得る。
【００１６】
本明細書で説明されるように、ネットワークノード３００の動作は、プロセッサ３０３、ネットワークインターフェース３０７、および／またはトランシーバ３０１によって実施され得る。たとえば、プロセッサ３０３は、１つまたは複数のＵＥに、無線インターフェース上でトランシーバ３０１を通してダウンリンク通信を送信し、および／または無線インターフェース上で１つまたは複数のＵＥからトランシーバ３０１を通してアップリンク通信を受信するように、トランシーバ３０１を制御し得る。同様に、プロセッサ３０３は、１つまたは複数の他のネットワークノードに、ネットワークインターフェース３０７を通して通信を送信し、および／またはネットワークインターフェースを通して１つまたは複数の他のネットワークノードから通信を受信するように、ネットワークインターフェース３０７を制御し得る。その上、モジュールがメモリ３０５に記憶され得、これらのモジュールは、モジュールの命令がプロセッサ３０３によって実行されたとき、プロセッサ３０３がそれぞれの動作（たとえば、例示的な実施形態に関して以下で説明される動作）を実施するように、命令を提供し得る。
【００１７】
拡張ユニバーサル地上無線アクセスネットワーク（Ｅ−ＵＴＲＡＮ）は、３ＧＰＰ  ＬＴＥ物理レイヤ仕様の一部としてＥ−ＵＴＲＡ無線インターフェースのために規定された無線アクセスネットワークアーキテクチャである。Ｅ−ＵＴＲＡでは、データが、流れ、様々なプロトコルレイヤにわたって変更される。この点について、図４は、Ｅ−ＵＴＲＡＮプロトコルレイヤの論理図の一例を示す。図４に示されているように、ＩＰパケットの形態のデータが、ＩＰレイヤからパケットデータコンバージェンスプロトコル（ＰＤＣＰ）レイヤにルーティングされる。ＰＤＣＰレイヤにおいて、データパケットは、ＰＤＣＰサービスデータユニット（ＳＤＵ）と呼ばれる。ＰＤＣＰレイヤにおいて、ＰＤＣＰ  ＳＤＵは、ヘッダ圧縮を使用して変更され、ＰＤＣＰヘッダ（ＰＤＣＰ  ＨＤＲ）がその上に付加され、それにより、ＰＤＣＰプロトコルデータユニット（ＰＤＵ）を形成する。ＰＤＣＰ  ＰＤＵが形成されると、ＰＤＣＰ  ＰＤＵは、ＲＬＣ  ＳＤＵとして無線リンク制御（ＲＬＣ）レイヤに転送される。ＲＬＣ  ＳＤＵは、セグメント化されてＲＬＣ  ＰＤＵになり、ＲＬＣヘッダがその上に付加される。ＲＬＣ  ＰＤＵはメディアアクセス制御（ＭＡＣ）レイヤに送られ、その結果、図４に示されているように、ＭＡＣヘッダ（ＭＡＣ  ＨＤＲ）およびパディング（ＰＡＤ）が付加され、それにより、ＭＡＣ  ＰＤＵを形成し得。形成されると、ＭＡＣ  ＰＤＵは、物理（ＰＨＹ）レイヤに送られ、ここで、ＭＡＣ  ＰＤＵは、トランスポートブロック（ＴＢ）と呼ばれる。このレイヤにおけるトランスポートブロックは、たとえば、その後、物理チャネルを介して他のＵＥに送信されるようにセットされる。このようにして、１つの非限定的な例として、Ｖ２Ｘ通信が提供され得る。
【００１８】
そのような通信を提供する際に、ＬＴＥベースＶ２Ｘインターフェースは、ＬＴＥに関連する規模の経済のために有利であり得る。さらに、ＬＴＥベースＶ２Ｘインターフェースを提供することは、専用Ｖ２Ｘ技術を使用することと比較して、ネットワークインフラストラクチャとの通信、車両対インフラストラクチャ（Ｖ２Ｉ：Ｖｅｈｉｃｌｅ−ｔｏ−Ｉｎｆｒａｓｔｒｕｃｔｕｒｅ）通信、車両対歩行者（Ｖ２Ｐ：Ｖｅｈｉｃｌｅ−ｔｏ−Ｐｅｄｅｓｔｒｉａｎ）通信、および車両対車両（Ｖ２Ｖ：Ｖｅｈｉｃｌｅ−ｔｏ−Ｖｅｈｉｃｌｅ）通信の間の向上された統合を可能にし得るので、有利であり得る。
【００１９】
Ｖ２Ｘ  ＵＥのための（送信モードまたはリソース割り当てモードと呼ばれることがある）動作モードは、モード３とモード４とを含む。モード４は、ＵＥが、一般に、単独で送信に関係する判断を行うことができるので、自律モードとも呼ばれる。概して、モード４では、ＵＥは、ネットワークによって設定されたまたはＵＥにおいてあらかじめ設定されたリソースの大きいセットから、送信のために使用すべき時間周波数リソースを選択する。言い換えれば、ＵＥは、（分散型リソース割り当てとも呼ばれる）自律リソース割り当てを実施する。
【００２０】
モード４における自律リソース割り当ては、一般に、２つの特徴、すなわち、半永続的送信と検知ベースリソース割り当てとを組み合わせて利用する。半永続的送信は、一般的な安全Ｖ２Ｘトラフィックがほぼ周期的である（すなわち、新しいパケットが一定の間隔で生成される）ことを活用する。パケット到着が周期的であるので、送信ＵＥは、将来の送信のためにいくつかの時間周波数リソースを使用するという送信ＵＥの意図について他のＵＥに通知することができる。一方、検知は、そのような半永続的送信の存在について知るために無線チャネルを監視することからなる。このようにして、ＵＥは、ＵＥ自体の送信のためにＵＥのリソースを選択するときに衝突を回避することができる。これは、検知ベースリソース割り当てとも呼ばれる。
【００２１】
モード４半永続的スケジューリング（ＳＰＳ）は、それが将来の送信のために潜在的に予約される時間／周波数リソースのセットに関与するので、リソース予約またはリソースブッキングとしても知られる。そのようなリソースの実際の使用量に応じて、過大なリソース消費を回避するためにリソース再選択がトリガされ得る。他のトリガリング基準は、代わりに、送信すべき実際のＭＡＣ  ＰＤＵが、前に予約された時間／周波数グラントのために調整されないという事実により、リソース再選択がトリガされることを暗示する。たとえば、グラントが小さすぎるかまたはグラントがＭＡＣ  ＰＤＵのパケット遅延バジェットに関して時間的にあまりに遅く来ている場合。
【００２２】
そのようなリソース再選択トリガリング基準は、従来、ＭＡＣレイヤにおいて指定される。従来の仕様では、７つの異なる基準が一般に使用される。第１基準の下で、ＳＬ＿ＲＥＳＯＵＲＣＥ＿ＲＥＳＥＬＥＣＴＩＯＮ＿ＣＯＵＮＴＥＲ＝０であり、かつ、ＳＬ＿ＲＥＳＯＵＲＣＥ＿ＲＥＳＥＬＥＣＴＩＯＮ＿ＣＯＵＮＴＥＲが１に等しかったとき、ＭＡＣエンティティが、等しい確率で、ｐｒｏｂＲｅｓｏｕｒｃｅＫｅｅｐにおいて上位レイヤによって設定された確率を上回る、間隔［０、１］中の値をランダムに選択した場合、リソース再選択がトリガされる。第２の基準の下で、最後の秒（ｌａｓｔ  ｓｅｃｏｎｄ）中に、設定されたサイドリンクグラントにおいて指示されたリソース上でＭＡＣエンティティによって送信も再送信も実施されなかった場合、リソース再選択がトリガされる。第３の基準の下で、ｓｌ−ＲｅｓｅｌｅｃｔＡｆｔｅｒが設定され、設定されたサイドリンクグラントにおいて指示されたリソース上の連続する未使用送信機会の数が、ｓｌ−ＲｅｓｅｌｅｃｔＡｆｔｅｒに等しい場合、リソース再選択がトリガされる。第４の基準の下で、設定されたサイドリンクグラントがない場合、リソース再選択がトリガされる。第５の基準の下で、設定されたサイドリンクグラントが、ｍａｘＭＣＳ−ＰＳＳＣＨにおける上位レイヤによって設定された最大許容ＭＣＳを使用することによってＲＬＣ  ＳＤＵを受け入れる（ａｃｃｏｍｍｏｄａｔｅ）ことができず、ＭＡＣエンティティが、ＲＬＣ  ＳＤＵをセグメント化しないことを選択した場合、リソース再選択がトリガされる。第６の基準の下で、設定されたサイドリンクグラントを伴う（１つまたは複数の）送信が、関連するＰＰＰＰに従って、サイドリンク論理チャネル中のデータのレイテンシ要件を果たすことができず、ＭＡＣエンティティが、単一のＭＡＣ  ＰＤＵに対応する（１つまたは複数の）送信を実施しないことを選択した場合、リソース再選択がトリガされる。第７の基準の下で、リソースのプールが上位レイヤによって設定または再設定された場合、リソース再選択がトリガされる。
【００２３】
検知ベースリソース割り当てに関して、ＬＴＥ仕様における検知ベースリソース割り当ては、概して、２つの異なる部分からなる。第１の部分は、チャネルリソースを検知することである。３ＧＰＰ仕様のＴＳ３６．２１３におけるプロシージャは、どのようにＵＥが、ある時間期間（１秒）中にチャネルを検知し、受信された信号を使用して、無線リソースの将来の利用を予測することを予想されるかを記述している。この予測された利用に基づいて、ＵＥは、送信のために選択され得る無線リソース（すなわち、時間周波数リソース）のリストを作成する。このリストは、一般に、すべての無線リソースのサブセットであり、すなわち、いくつかのリソースが選択のための候補として除かれる（たとえば、これは、ＵＥが、それらのリソースが別のＵＥによって使用されることになると予測するからである）。第２の部分は、リソース割り当てである。ＴＳ３６．３２１におけるプロシージャは、ＵＥが、検知によって提供された候補リソースのリストから、ＵＥが送信のために必要とするリソースをどのように選択するかを記述している。
【００２４】
従来のＬＴＥ  Ｖ２Ｘ機能性に対する拡張が望ましいことがある。１つのそのような望ましい機能性は、複数のキャリア上での同時送信を実施することからなる、キャリアアグリゲーション（ＣＡ）を伴う。ＣＡを使用することによって、より大きいパケットを送信し、（ビット毎秒単位で）より大きい送信レートを達成し、および／または（たとえば、複数のキャリア上で同じパケットを送信することによって）システムの信頼性を増加させることが可能である。複数のキャリア上での送信は、同時にまたは（通常数ミリ秒だけ分離された）異なる時間において行われ得る。
【００２５】
キャリアアグリゲーションをサポートするために、異なるＳＬキャリアを選択するための特定のＵＥ機構が有用であり得る。キャリアの輻輳、ＵＥが配信することを希望するデータの量、ＵＥ能力、電力消費、およびＲＦ要件など、異なる基準が使用され得る。この点について、どの（１つまたは複数の）キャリアを選択すべきかは、したがって、（送信すべきデータのボリュームなどの）ＭＡＣレイヤ態様において利用可能である情報ならびに（ＵＥ能力および利用可能な電力バジェットなどの）物理レイヤ態様において利用可能である情報を伴うことがある判断である。
【００２６】
サイドリンクキャリア（再）選択がＭＡＣレイヤにおいてトリガされたとき、ＭＡＣレイヤは、選択された（１つまたは複数の）キャリアが実際に送信のために物理レイヤによって使用され得るかどうかに気づいていないことがある。ＭＡＣは、送信すべきデータのボリュームなど、ＭＡＣ関係基準に基づいて、および／またはリソース再選択がトリガされるかどうかに基づいて、キャリアのあるセットを選択し得る。
【００２７】
この点について、上記の条件のいずれも、物理レイヤにおける潜在的制限を考慮に入れず、したがって、ＭＡＣ  ＰＤＵが、異なるサイドリンクキャリア上での同時送信のために選択されると、制限された送信（ＴＸ）能力、ＲＦ要件、キャリアにわたる電力スペクトル密度（ＰＳＤ）不平衡、および／または電力バジェット制限のために、ＵＥの物理レイヤ（ＰＨＹ）がＭＡＣ  ＰＤＵのすべてを配信することが可能であるとは限らないことが起こり得る。
【００２８】
さらに、上記の条件から、上記のリソース再選択基準が、（現在、Ｖ２Ｘ  ＳＬ通信のために使用中である）すべてのキャリアについてキャリア再選択をトリガするべきであるのか、またはそれらのキャリアのうちのいくつかのみについてキャリア再選択をトリガするべきであるのか、またはキャリアのいずれについてもキャリア再選択をトリガするべきでないのかが不明瞭であり得る。
【００２９】
この点について、本明細書で開示されるいくつかの実施形態では、（１つまたは複数の）ＴＸキャリア（再）選択のためのＭＡＣ−ＰＨＹ相互作用（すなわち、クロスレイヤシグナリング）をモデル化し、どのようにおよびどの（１つまたは複数の）キャリア上で（１つまたは複数の）キャリア（再）選択を実施すべきか、および／またはリソース（再）選択がいつトリガされるかに関するＭＡＣ挙動を記述するための方法が開示される。このようにして、ＭＡＣ  ＰＤＵがその上で同時に配信され得るキャリアのセットを選択するためのＭＡＣ−ＰＨＹ  ＵＥモデルが提供される。
【００３０】
本明細書で開示される実施形態では、ＭＡＣ  ＰＤＵという専門用語とトランスポートブロック（ＴＢ）という専門用語とは、物理レイヤへの送信のためにＭＡＣレイヤによって選択されたトランスポートブロック（すなわち、ＭＡＣ  ＰＤＵ）を指示するために互換的に使用される。以下の説明において使用される「同じＴＴＩ」および／または「同時送信」という用語は、時間的に完全に整合された／重複する時間間隔または送信を指すが、異なるキャリア上でのＭＡＣ  ＰＤＵの送信が、時間的に完全に整合されるとは限らないが、たとえば、ＵＥがあるキャリアから別のキャリアに再同調／再同期することを必要とするであろう時間ウィンドウ内になど、所定の時間ウィンドウ内にある場合をも指す。たとえば、ＰＤＵ１がＴＴＩ１中にキャリア１上で送信され、ＰＤＵ２がＴＴＩ２においてキャリア２上で送信され、ここで、ＴＴＩ２がＴＴＩ１に隣接すると仮定する。そのような状況は、本議論の目的で「同時送信」と見なされ得る。一般化すると、もし、時間Ｔ１において、ＵＥが、キャリア１において送信し、ここで、（Ｔ２−Ｔ１）＜時間しきい値であり、時間しきい値が、ＵＥがキャリア２に再同調／再同期することを必要とする時間として規定される場合、そのようなＵＥが、時間Ｔ２においてキャリア２において送信することができないならば、Ｔ２における送信とＴ１における送信とは、同時送信であると言われることがある。
【００３１】
一実施形態では、ＭＡＣレイヤは、下位レイヤへの送信のためにキャリアのあるセット「Ａ」を選択し、すなわち、ＭＡＣレイヤは、同じＴＴＩ上での送信のために選択された各キャリアについて１つのＭＡＣ  ＰＤＵを準備する。各キャリアに関連するＨＡＲＱエンティティは、対応するキャリア上での送信のために、ＭＡＣ  ＰＤＵを物理レイヤ（ＰＨＹ）に配信する。
【００３２】
異なるキャリア上での送信のために、ＭＡＣ  ＰＤＵ、すなわち、ＴＢを受信すると、物理レイヤは、そのようなＭＡＣ  ＰＤＵが、選択されたキャリア上で同じＴＴＩにおいて送信され得るかどうかを評価する。（１つまたは複数の）キャリア上で送信すべきか否かに関する判断は、以下に依存することがある。
・  ＰＨＹが、同時に、選択されたキャリア上で送信することが可能であるかどうか（たとえば、所与のキャリア組合せがサポートされない場合）、
・  そのようなキャリア上での送信のための電力バジェットが圧倒（ｏｖｅｒｗｈｅｌｍ）されないかどうか、
・  同時に複数のキャリア上での送信が電力スペクトル密度（ＰＳＤ）不平衡につながるかどうか、
・  （たとえば、検知時にまたは例示的なリッスンビフォアトーク（ＬＢＴ）プロシージャ時に、あるいは潜在的干渉物の存在に関するネイバリングＵＥからのフィードバック）同じキャリア上で検出される他の強い干渉ノードがないかどうか、
・  いくつかのキャリアが、ＳＬデータを受信するのに忙しすぎるのか、Ｕｕ送信を監視しているのか、
・  いくつかのキャリアが、Ｕｕデータを受信／監視するまたはＵｕデータを送信するのに忙しすぎるかどうか、および／あるいは
・  ＰＨＹが、ＴＸ切替え時間に対する制限により送信することが可能であるかどうか。
【００３３】
いくつかの実施形態では、ＰＨＹは、無線インターフェース上での送信のためにＭＡＣレイヤによって指示されたセットＡのすべてのキャリアを選択する。いくつかの実施形態では、ＰＨＹは、送信のためにセットＡに属するキャリアのサブセットのみを選択する。いくつかの実施形態では、ＰＨＹは、セットＡのいかなるキャリア上でも送信を実施しない。
【００３４】
いくつかの実施形態では、対応するＴＢの送信のために、セットＡのすべてのキャリアが効果的に使用されるのか、またはサブセットのみが使用されるのか、またはいずれも使用されないのかに応じて、ＰＨＹは、送信の成果（ｏｕｔｃｏｍｅ）を指示するフィードバックをＭＡＣに送る。成果は、すべてのＴＢが使用された場合にＰＨＹ  ＡＣＫであるか、ＴＢのいずれも送信されなかった場合にＮＡＣＫであるか、または対応するＴＢが送信されたか否かを各キャリア／ＴＢについて指示するＰＨＹフィードバックのアレイ（ＡＣＫ／ＮＡＣＫ）であり得る。
【００３５】
１つまたは複数のＴＢがＰＨＹによって送信されなかったいくつかの実施形態では、ＰＨＹは、（１つまたは複数の）ＴＢ送信が失敗した理由をも指示し得る。たとえば、ＰＨＹは、ＭＡＣが、ある時間ウィンドウにおいて、または次のいくつかのＴＴＩにおいて、または時間的に決して、同時送信のために選択するべきでない、キャリアのセット、および関連する時間／周波数リソースを指示し得る。いくつかの実施形態では、ある（１つまたは複数の）キャリアの使用を限定するための追加情報がＰＨＹによって提供される。たとえば、ＰＨＹが、ＰＨＹが、あるキャリア組合せまたはＴＸ切替え時間をサポートすることができないか、あるいは電力割り当てが、良好なシステム性能を提供するにはあまりに限定的であることがわかる場合。
【００３６】
いくつかの実施形態では、ＰＨＹフィードバックが時間Ｔ１においてＮＡＣＫであったＴＢ送信のために、ＭＡＣによって以下のアクションがとられ得る。
【００３７】
ＭＡＣは、異なるキャリア上での同時送信のために、ＰＨＹ指示通りに時間Ｔ１において送信されなかったいくつかのＭＡＣ  ＰＤＵを除くことができる。たとえば、ＰＨＹが、キャリア１における第１のトランスポートブロックＴＢ１とキャリア２における第２のトランスポートブロックＴＢ２とが同時に送信されるが、キャリア３における第３のトランスポートブロックＴＢ３が同時に送信され得ないことを指示した場合、ＭＡＣは、時間Ｔ１よりも大きいかまたはそれに等しい時間Ｔ２における次のＴＴＩのうちの１つにおいて、ＴＢ１とＴＢ２とを送信するためのリソースを選択することができ、ＴＢ３は、時間Ｔ３における送信について延期され、キャリア３は、時間Ｔ２における送信のために選択されない。いくつかの実施形態では、ＴＢ３は、（ＴＢに関連するＰＰＰＰを使用して収集され得る）レイテンシ要件に基づいて送信について延期される。
【００３８】
追加のアクションは、いくつかの実施形態では、１つまたは複数の前に選択されたものと同じまたは異なるキャリアにおいて時間周波数リソースの新しい（１つまたは複数の）セットのリソース予約を実施すること（すなわち、新しいＳＬグラントを設定すること）、またはリソースを予約することなしにＴＢの送信を実施することのいずれかによって、ＭＡＣがそのようなＴＢの送信のためにキャリア再選択および／またはリソース再選択をトリガすることをも含む。たとえば、ＭＡＣは、時間Ｔ２における送信のために、それぞれキャリア１およびキャリア２上での送信のためにＴＢ１およびＴＢ２を再び選択し得、ＭＡＣは、依然として時間Ｔ２におけるＴＢ３の送信のために（キャリア３とは異なる）別のキャリアを選択し得る。または、別の代替形態では、リソース再選択のみがトリガされる（すなわち、ＭＡＣは、ただ、異なるキャリアにおけるＴＢ１／ＴＢ２／ＴＢ３の同時送信のために時間／周波数リソースの別のセットを選択するが、依然として、送信のためにキャリア１／２／３を保つ（すなわち、ＭＡＣはキャリア再選択を実施しない））。
【００３９】
他の実施形態では、アクションは、ＰＨＹが、追加の指示なしに、ＭＡＣによって前にスケジュールされたＭＡＣ  ＰＤＵについてＡＣＫ／ＮＡＣＫを提供するにすぎない場合、ＭＡＣが、ＭＡＣ  ＰＤＵがＰＨＹによって送信され得なかったキャリアについてキャリア再選択を実施すること、および／または検知時に（すなわち、ＭＡＣが時間Ｔ１において当該のＭＡＣ  ＰＤＵをＰＨＹに配信する前に）も収集され得る、ＰＨＹによって指示されたリソース利用可能性に基づいてリソース再選択を実施することのいずれかを含む。ＭＡＣは、ＭＡＣ  ＰＤＵが時間Ｔ１において送信されなかった理由を、ＰＨＹがそのような指示をＭＡＣに提供しなかった場合、考慮に入れないことがある。
【００４０】
他の実施形態では、ＭＡＣは、時間Ｔ１において送信されなかったＴＢが初期送信に対応する（すなわち再送信でない）場合、それらのＴＢをＲＬＣバッファに戻すことができる。ＭＡＣが送信グラントを選択することをいつ決めるかと選択されたグラントのサイズとに応じて、いくつかの実施形態では、セグメンテーション／連結および論理チャネル優先度付けが再び実施され得る。
【００４１】
他の実施形態では、ＭＡＣは、送信が時間Ｔ１において成功しなかった、あるキャリア組合せおよび／または時間周波数リソースに関係する情報を記憶することができ、したがって、同じ組合せは後のオケージョンにおいて再び使用されないことになる。
【００４２】
他の実施形態では、ＭＡＣは、送信されなかったＴＢに関係する送信カウンタを前進（ｓｔｅｐ）させないことがある。たとえば、ＭＡＣは、再送信カウンタ、物理レイヤにおけるＲＶＩを前進させるＣＵＲＲＥＮＴ＿ＩＲＶカウンタ、および／または予約された時間／周波数リソースの使用量をカウントするＳＬ＿ＲＥＳＯＵＲＣＥ＿ＲＥＳＥＬＥＣＴＩＯＮ＿ＣＯＵＮＴＥＲを前進させないことがある。別の実施形態では、ＳＬ＿ＲＥＳＯＵＲＣＥ＿ＲＥＳＥＬＥＣＴＩＯＮ＿ＣＯＵＮＴＥＲは、ＵＥが送信することを試みることを考慮して、前進させられる。同様に、ｓｌ−ＲｅｓｅｌｅｃｔＡｆｔｅｒカウンタは、ＵＥが、いくつかの実施形態では、あるリソース上で送信することを試みたがうまくいかなかったので、前進させられないことがある。
【００４３】
いくつかの実施形態によれば、ＰＨＹレイヤは、不成功の送信が送信または再送信（すなわち、同じＴＢの１番目の送信または２番目の送信）のものであるかどうかをも指示し得る。再送信に対応するＴＢが不成功である場合、ＭＡＣは、上述のプロシージャを実施する代わりに送信をただドロップすることを選定することができる。さらに、ＭＡＣは、再送信に対応するドロップＴＢを再びスケジュールしながら、いくつかのさらなる制限を適用することができる。たとえば、いくつかの実施形態では、ＭＡＣは、その元の送信とは異なるキャリアを選択しないことがある。いくつかの実施形態では、Ｒｘ  ＵＥを支援するために、時間／周波数リソースが再送信のために再選択されるにすぎない場合、余分のシグナリングが実施され、それは、元の送信を指示する／指す。
【００４４】
上記の（１つまたは複数の）プロシージャは、すべてのＴＢが物理レイヤによって送信されるまで繰り返され得る。たとえば、ＭＡＣによって初期に選択されたＭＡＣ  ＰＤＵのすべてがＰＨＹによって送信され得るか、またはそれらのＭＡＣ  ＰＤＵのいずれもＰＨＹによって送信され得ないかのいずれかであることを考慮して、ＭＡＣは、すべてのＴＢがＰＨＹによって送信されるまで、キャリアおよび／またはタイマー／周波数リソースの異なるセットを選択することを試み得、すべてのＴＢがＰＨＹによって送信された場合、ＰＨＹは、ＡＣＫをシグナリングすることになる。
【００４５】
いくつかの実施形態では、ＰＨＹフィードバックが時間Ｔ１においてＡＣＫであったＴＢ送信のために、ＭＡＣによって以下のアクションがとられ得る。ＭＡＣレイヤは、オーバージエアで送信されるパケットを考慮することができる。これは、ＳＬ＿ＲＥＳＯＵＲＣＥ＿ＲＥＳＥＬＥＣＴＩＯＮ＿ＣＯＵＮＴＥＲが後退（ｓｔｅｐ  ｄｏｗｎ）させられ、ＣＵＲＲＥＮＴ＿ＩＲＶが前進させられ、再送信カウンタが前進させられることを暗示する。追加の実施形態では、ＭＡＣは、時間Ｔ１においてＳＬキャリアのある組合せが送信のために成功裡に使用されたという情報を記憶する。
【００４６】
リソース再選択時のキャリア選択に関して、いくつかの実施形態では、キャリア選択は、リソース再選択のためのトリガのタイプに応じて、１つまたは複数のキャリアについてトリガされ得る。たとえば、ＭＡＣエンティティが、１つのトリガリング条件が満たされるときはいつでも、すべてのキャリアについてキャリア再選択をトリガする場合、あるトリガリング条件が、１つの特定のＨＡＲＱエンティティ／キャリアにおける動作のみに影響を及ぼし得るので、キャリア切替えをあまりに頻繁に行わせるリスクがあり得る。たとえば、キャリア選択が、１つのＨＡＲＱエンティティ／キャリアについてＳＬ＿ＲＥＳＯＵＲＣＥ＿ＲＥＳＥＬＥＣＴＩＯＮ＿ＣＯＵＮＴＥＲ＝０のためにトリガされた場合、予約されたリソースを伴う、現在使用中のすべての他のキャリアについてキャリア再選択をトリガする必要がないことがある。同様に、セットＡ中のキャリアのうちのいくつかに関してのみＴＸ能力問題点がある場合、ＰＨＹは、セットＡ中のキャリアのサブセットＢが同時に使用され得、セットＡ中のキャリアの別のサブセットＣが同時に使用され得ないことを指示し得る。そのような場合、サブセットＣ中のそれらのキャリアについてキャリア再選択が実施され得る。さらに、システム性能を増加させるために、ＰＨＹは、ＭＡＣレイヤによる同時に複数のキャリアの使用の限定をも指示することができる。
【００４７】
この点について、いくつかの実施形態では、あるイベントが行われた特定のキャリア／ＨＡＲＱエンティティについてキャリア再選択がトリガされ得る。追加の実施形態では、特定のキャリア／ＨＡＲＱエンティティに影響を及ぼすイベントが含まれるが、そのような実施形態は、以下のイベントによって制限され得ない。
・  特定のキャリア／ＨＡＲＱエンティティについて、ＳＬ＿ＲＥＳＯＵＲＣＥ＿ＲＥＳＥＬＥＣＴＩＯＮ＿ＣＯＵＮＴＥＲ＝０であり、およびＳＬ＿ＲＥＳＯＵＲＣＥ＿ＲＥＳＥＬＥＣＴＩＯＮ＿ＣＯＵＮＴＥＲが１に等しかったとき、ＭＡＣエンティティが、等しい確率で、ｐｒｏｂＲｅｓｏｕｒｃｅＫｅｅｐにおいて上位レイヤによって設定された確率を上回る、間隔［０、１］中の値をランダムに選択した場合、
・  特定のキャリア／ＨＡＲＱエンティティについて、最後の秒中に、設定されたサイドリンクグラントにおいて指示されたリソース上でＭＡＣエンティティによって送信も再送信も実施されなかった場合、
・  特定のキャリア／ＨＡＲＱエンティティについて、ｓｌ−ＲｅｓｅｌｅｃｔＡｆｔｅｒが設定され、設定されたサイドリンクグラントにおいて指示されたリソース上の連続する未使用送信機会の数が、ｓｌ−ＲｅｓｅｌｅｃｔＡｆｔｅｒに等しい場合、
・  特定のキャリアについて、リソースのプールが上位レイヤによって設定または再設定された場合、および／または
・  （前のセクションにおいて示されたもののような）能力問題点、電力制限または他の無線問題が、特定のキャリアにのみ影響を及ぼす場合。
【００４８】
キャリア再選択をトリガした後に、ＭＡＣエンティティは、追加の実施形態では、以下のアクションをも実施し得る。
・  上記のイベントのうちのいずれかによって影響を及ぼされる同じサイドリンクキャリアを使用することを継続する（およびそのキャリア上でリソース再選択を実施する（すなわち、新しいＳＬグラントを設定する））、
・  別のサイドリンクキャリアを選択し、別のＳＬグラントを設定し（すなわち、リソース選択を実施し）、上記のイベントのうちのいずれかによって影響を及ぼされるサイドリンクキャリアを使用することを停止する、
・  複数のサイドリンクキャリアを選択し、他のＳＬグラントを設定し（すなわち、リソース選択を実施し）、上記のイベントのうちのいずれかによって影響を及ぼされるサイドリンクキャリアを使用することを停止する、
・  上記のイベントのうちのいずれかによって影響を及ぼされるサイドリンクキャリアを使用することを停止し、任意の他のサイドリンクキャリアを選択しない、および／または
・  リソース予約のためにキャリアを選択するのではなく１つの単一の送信を実施する。
【００４９】
他の実施形態では、２つ以上のキャリアについてキャリア再選択がトリガされ得る。たとえば、特定のＨＡＲＱエンティティ／キャリア動作にかかわらず、ＭＡＣエンティティ挙動など、ＵＥ挙動に影響を与えるイベントの場合。そのようなイベントは、限定はしないが、異なるサイドリンクキャリアにおいてすでに設定されたサイドリンクグラントのいずれについても満たされないことがある以下の性能基準を含む。
・  ＳＬキャリアにおいて、設定されたサイドリンクグラントがない場合、
・  設定されたサイドリンクグラントが、設定されたＳＬグラントを伴うＳＬキャリアについてｍａｘＭＣＳ−ＰＳＳＣＨにおける上位レイヤによって設定された最大許容ＭＣＳを使用することによってＲＬＣ  ＳＤＵを受け入れることができず、ＭＡＣエンティティが、ＲＬＣ  ＳＤＵをセグメント化しないことを選択した場合、
・  設定されたサイドリンクグラントを伴う（１つまたは複数の）送信が、設定されたＳＬグラントを伴うＳＬキャリアについて、関連するＰＰＰＰに従って、サイドリンク論理チャネル中のデータのレイテンシ要件を果たすことができず、ＭＡＣエンティティが、単一のＭＡＣ  ＰＤＵに対応する（１つまたは複数の）送信を実施しないことを選択した場合、
・  複数のキャリアにおける潜在的同時送信によってＵＥ能力および／または電力制限が経験される場合、ならびに／あるいは
・  設定されたサイドリンクグラントを伴う送信は、ＵＥが、半二重制限により長時間キャリアをリッスン／検知することができないようなものである場合。たとえば、すべての選択されたキャリア上でのＵＥの総送信時間が、あらかじめ規定されたしきい値よりも多い場合。
【００５０】
上記の理由のためにトリガされたキャリア再選択では、ＭＡＣエンティティは、以下のアクションを実施し得る。
・  同じサイドリンクキャリアを使用することを継続し、１つのキャリアにおいてリソース再選択を実施する、
・  別のサイドリンクキャリアを選択し、設定されたサイドリンクグラントを伴うサイドリンクキャリアのうちのいずれかを使用することを停止する、
・  複数の他のサイドリンクキャリアを選択し、設定されたサイドリンクグラントを伴うサイドリンクキャリアのうちのいずれかを使用することを停止する、
・  サイドリンクキャリアのうちのいずれかを使用することを停止し、任意の他のサイドリンクキャリアを選択しない（すなわち、ただワンショット送信を実施する）。
【００５１】
次に、発明概念のいくつかの実施形態による、図５のフローチャートを参照しながら、ＵＥまたは基地局など、無線通信デバイスの動作が説明される。たとえば、モジュールは、図２の無線端末メモリ２０５に記憶され得、これらのモジュールは、モジュールの命令が無線デバイスプロセッサ２０３によって実行されたとき、プロセッサ２０３が図５のフローチャートのそれぞれの動作を実施するような命令を提供し得る。同様に、モジュールは、図３のネットワークノードメモリ３０５に記憶され得、これらのモジュールは、モジュールの命令がネットワークノードプロセッサ３０３によって実行されたとき、プロセッサ３０３が図５のフローチャートのそれぞれの動作を実施するような命令を提供し得る。
【００５２】
いくつかの実施形態によれば、メディアアクセス制御（ＭＡＣ）レイヤと物理（ＰＨＹ）レイヤとを含む複数のプロトコルレイヤを有する第１の通信デバイスにおける方法が、ＭＡＣレイヤにおいて、サイドリンクインターフェースを介した第２の通信デバイスへの送信のためのデータを受信すること（ブロック５０２）を含む。方法は、ＭＡＣレイヤにおいて、データから、第１および第２のＭＡＣプロトコルデータユニット（ＰＤＵ）を生成すること（ブロック５０４）と、ＰＨＹレイヤが、それぞれ、第２の通信デバイスへのサイドリンク送信における第１および第２のＭＡＣ  ＰＤＵの送信のために使用するべきである利用可能なキャリアのセットからの選択された第１および第２のキャリアの指示とともに、第１の送信時間間隔（ＴＴＩ）における同時送信またはほぼ同時送信のためにＭＡＣレイヤからＰＨＹレイヤに第１および第２のＭＡＣ  ＰＤＵを提供すること（ブロック５０６）とをさらに含む。最後に、方法は、ＭＡＣレイヤにおいて、ＰＨＹレイヤから確認応答を受信すること（ブロック５０８）であって、確認応答は、選択された第１および第２のキャリア上での第１および第２のＭＡＣ  ＰＤＵの同時送信が成功裡に実施されたか否かを指示する、確認応答を受信すること（ブロック５０８）を含む。ＰＨＹレイヤからの確認応答は否定応答（ＮＡＫ）を含み得、ＮＡＫは、ＰＨＹレイヤが、ＭＡＣレイヤによって指示されたそれぞれの選択されたキャリア上で第１および第２のＭＡＣ  ＰＤＵのうちの少なくとも１つを送信することができなかったことを指示する。
【００５３】
確認応答は、選択された第１および第２のキャリア上でのそれぞれのＭＡＣ  ＰＤＵの送信が成功したかどうかを指示するフィードバックインジケータのアレイを含み得る。
【００５４】
図６を参照すると、いくつかの実施形態による方法は、ＰＨＹレイヤから、ＭＡＣレイヤが将来のＴＴＩにおいて同時送信のために選択するべきでないキャリアの指示を受信すること（ブロック６０２）をさらに含む。
【００５５】
いくつかの実施形態による方法は、ＭＡＣレイヤにおいて否定応答が受信されたＭＡＣ  ＰＤＵ送信について、後続のＴＴＩにおける異なるキャリア上での同時送信からＭＡＣ  ＰＤＵを除くことと、後続のＴＴＩにおけるＭＡＣ  ＰＤＵの送信のためのキャリア再選択および／またはリソース再選択をトリガすることと、ＭＡＣ  ＰＤＵを無線リンク制御（ＲＬＣ）バッファに返すことと、ＭＡＣ  ＰＤＵ送信が不成功であったキャリア組合せおよび／または時間／周波数リソースに関係する情報を記憶することと、成功裡に送信されなかったＭＡＣ  ＰＤＵに関係する送信カウンタを進めることを控えることとのうちの少なくとも１つを実施することをさらに含み得る。特に、ＭＡＣ  ＰＤＵの１つまたは複数のＭＡＣ  ＳＤＵがＲＬＣバッファに返され得る。
【００５６】
送信カウンタは、再送信カウンタ、ＣＵＲＲＥＮＴ＿ＩＲＶカウンタおよび／またはＳＬ＿ＲＥＳＯＵＲＣＥ＿ＲＥＳＥＬＥＣＴＩＯＮ＿ＣＯＵＮＴＥＲを含み得る。
【００５７】
方法は、選択された第１および第２のキャリア上での第１および第２のＭＡＣ  ＰＤＵの送信が成功したことを確認応答が指示したことに応答して、第１および第２のキャリア上での同時送信が成功したことを指示する情報を記憶することをさらに含み得る。
【００５８】
方法は、ＰＨＹレイヤから、不成功の送信が再送信であったという指示を受信することをさらに含み得る。
【００５９】
方法は、ＰＨＹレイヤから、ＭＡＣ  ＰＤＵの不成功の送信が再送信であったという指示を受信したことに応答して、ＭＡＣ  ＰＤＵの送信をドロップすることをさらに含み得る。
【００６０】
送信のためのＭＡＣレイヤにおいて受信されたデータが、無線リンク制御（ＲＬＣ）レイヤサービスデータユニット（ＳＤＵ）を含む。
【００６１】
図７を参照すると、いくつかの実施形態による方法は、ＰＨＹレイヤにおいて、第１および第２のＭＡＣ  ＰＤＵが、第１のＴＴＩ内に、それぞれ、第１および第２のキャリア上で送信され得るかどうかを評価すること（ブロック７０２）と、評価に少なくとも部分的に基づいて、選択された第１および第２のキャリア上での第１および第２のＭＡＣ  ＰＤＵの同時送信が成功裡に実施されたか否かを指示する確認応答を生成すること（ブロック７０４）とをさらに含み得る。
【００６２】
第１および第２のＭＡＣ  ＰＤＵが、第１のＴＴＩ内に、それぞれ、第１および第２のキャリア上で送信され得るかどうかを評価することは、ＰＨＹが、同時に第１および第２のキャリア上で送信することが可能であるかどうか、第１および第２のキャリア上での送信のための電力バジェットが圧倒されるかどうか、第１および第２のキャリア上での同時送信が、電力スペクトル密度（ＰＳＤ）不平衡につながり得るかどうか、強い干渉ノードが第１または第２のキャリア上で検出されるかどうか、第１または第２のキャリアが、サイドリンクデータを受信することまたはＵｕ送信を監視することのために忙しいかどうか、第１および第２のキャリアが、Ｕｕデータを受信または送信するために忙しいかどうか、ならびにＰＨＹレイヤが、送信機切替え時間に対する制限により、第１および第２のキャリア上で送信することが可能であるかどうか、のうちの少なくとも１つに依存し得る。
【００６３】
図８Ａを参照すると、メディアアクセス制御（ＭＡＣ）レイヤと物理（ＰＨＹ）レイヤとを含む複数のプロトコルレイヤを有する通信デバイスにおける方法は、ＭＡＣレイヤにおいて、キャリアアグリゲーションのための複数のキャリアを選択すること（８０２）であって、キャリアの各々が、それぞれのハイブリッド自動再送要求（ＨＡＲＱ）エンティティに関連する、複数のキャリアを選択すること（８０２）と、ＭＡＣレイヤにおいて、トリガリングイベントに応答して、第１の通信デバイスによるサイドリンクリソース再選択プロセスを始動すること（８０４）と、トリガリングイベントに関連するキャリアの識別情報を決定すること（８０６）とを含み、サイドリンクリソース再選択プロセスを始動することが、トリガリングイベントに関連するキャリアおよび関連するＨＡＲＱイベントについてのみ実施される。
【００６４】
方法は、サイドリンクリソース再選択プロセスを始動した後に、前のキャリアを使用し続け、前のキャリア上でリソース再選択を実施することと、第２のサイドリンクキャリアを選択し、第２のサイドリンクキャリア上で第２のサイドリンクグラントを設定することと、サイドリンクキャリアを使用することを中止し、他のサイドリンクキャリアを選択しないこととのうちの少なくとも１つを実施することをさらに含み得る。
【００６５】
図８Ｂを参照すると、いくつかの実施形態では、メディアアクセス制御（ＭＡＣ）レイヤと物理（ＰＨＹ）レイヤとを含む複数のプロトコルレイヤを有する通信デバイスにおける方法は、ＭＡＣレイヤにおいて、キャリアアグリゲーションのための複数のキャリアを選択すること（ブロック８１２）であって、キャリアの各々が、それぞれのハイブリッド自動再送要求（ＨＡＲＱ）エンティティに関連する、複数のキャリアを選択すること（ブロック８１２）と、ＭＡＣレイヤにおいて、トリガリングイベントに応答して、第１の通信デバイスによるサイドリンクキャリア再選択プロセスを始動すること（ブロック８１４）とを含む。
【００６６】
サイドリンクキャリア再選択プロセスを始動することは、トリガリングイベントに関連するキャリアおよび関連するＨＡＲＱイベントについてのみ実施され得る。いくつかの実施形態では、サイドリンクキャリア再選択プロセスを始動することは、サイドリンク動作のために設定されたすべてのサイドリンクキャリアについて実施される。
【００６７】
方法は、サイドリンクキャリア再選択プロセスを始動した後に、前のキャリアを使用し続け、前のキャリア上でリソース再選択を実施することと、第２のサイドリンクキャリア（または複数の追加のサイドリンクキャリア）を選択し、（１つまたは複数の）第２のサイドリンクキャリア上で第２のサイドリンクグラントを設定することと、サイドリンクキャリアを使用することを中止し、他のサイドリンクキャリアを選択しないこととのうちの少なくとも１つを実施することをさらに含み得る。
【００６８】
トリガリングイベントは、特定のキャリア／ＨＡＲＱエンティティについて、ＳＬ＿ＲＥＳＯＵＲＣＥ＿ＲＥＳＥＬＥＣＴＩＯＮ＿ＣＯＵＮＴＥＲ＝０であり、かつ、ＳＬ＿ＲＥＳＯＵＲＣＥ＿ＲＥＳＥＬＥＣＴＩＯＮ＿ＣＯＵＮＴＥＲが１に等しかったとき、ＭＡＣが、等しい確率で、上位レイヤによって設定された確率を上回る、間隔［０、１］中の値をランダムに選択したこと、特定のキャリア／ＨＡＲＱエンティティについて、前の秒（ｐｒｅｖｉｏｕｓ  ｓｅｃｏｎｄ）中に、設定されたサイドリンクグラントにおいて指示されたリソース上でＭＡＣによって送信も再送信も実施されなかったこと、特定のキャリア／ＨＡＲＱエンティティについて、ｓｌ−ＲｅｓｅｌｅｃｔＡｆｔｅｒが設定され、設定されたサイドリンクグラントにおいて指示されたリソース上の連続する未使用送信機会の数が、ｓｌ−ＲｅｓｅｌｅｃｔＡｆｔｅｒに等しいこと、および／または特定のキャリアについて、リソースのプールが上位レイヤによって設定または再設定されることのうちの少なくとも１つを含み得る。
【００６９】
いくつかの実施形態では、トリガリングイベントは、サイドリンクキャリアにおいて、設定されたサイドリンクグラントがないこと、設定されたサイドリンクグラントが、設定されたＳＬグラントを伴うサイドリンクキャリアについて上位レイヤによって設定された最大許容変調符号化方式（ＭＣＳ）を使用することによってＲＬＣ  ＳＤＵを受け入れることができず、ＭＡＣエンティティが、ＲＬＣ  ＳＤＵをセグメント化しないことを選択すること、設定されたサイドリンクグラントを伴う（１つまたは複数の）送信が、設定されたサイドリンクグラントを伴うサイドリンクキャリアについて、サイドリンク論理チャネル中のデータのレイテンシ要件を果たすことができないこと、およびＭＡＣが、単一のＭＡＣ  ＰＤＵに対応する（１つまたは複数の）送信を実施しないことを選択すること、複数のキャリアにおける潜在的同時送信によってＵＥ能力および／または電力制限が経験されること、ならびに／あるいは設定されたサイドリンクグラントを伴う送信は、ＵＥが、半二重制限により長時間キャリアをリッスン／検知することができないようなものであることのうちの少なくとも１つを含み得る。
【００７０】
図９は、メディアアクセス制御（ＭＡＣ）レイヤと物理（ＰＨＹ）レイヤとを含む複数のプロトコルレイヤを有する第１の通信デバイスにおける方法を示す。方法は、ＭＡＣレイヤにおいて、サイドリンクインターフェースを介した第２の通信デバイスへの送信のためのデータを受信すること（ブロック９０２）と、ＭＡＣレイヤにおいて、データから、第１および第２のＭＡＣプロトコルデータユニット（ＰＤＵ）を生成すること（ブロック９０４）と、第１および第２のＭＡＣ  ＰＤＵを送信するための１つまたは複数のキャリアの利用可能性に関するＰＨＹレイヤからの情報を受信すること（ブロック９０６）と、ＰＨＹレイヤからの情報に基づいて、第１および第２のＭＡＣ  ＰＤＵの送信のための１つまたは複数のキャリアから第１および第２のキャリアを選択するためのキャリア選択または再選択プロシージャを実施すること（ブロック９０８）と、選択された第１および第２のキャリアの指示とともに、第１の送信時間間隔（ＴＴＩ）における同時送信のためにＭＡＣレイヤからＰＨＹレイヤに第１および第２のＭＡＣ  ＰＤＵを提供すること（ブロック９１０）とを含む。
【００７１】
ＰＨＹレイヤからの情報は、ＭＡＣレイヤが将来において同時送信のために選択するべきでないキャリアまたはキャリア上の時間／周波数リソースの指示を含み得る。
【００７２】
ＰＨＹレイヤからの情報は、ＰＨＹレイヤからの情報が指示する、送信のために利用不可能であるキャリア組合せおよび／または時間／周波数リソースの指示を含み得る。
【００７３】
ＰＨＹレイヤからの情報は、ＰＨＹレイヤからの情報が指示する、送信のために利用可能であるキャリア組合せおよび／または時間／周波数リソースの指示を含み得る。
【００７４】
方法は、ＭＡＣが、ＰＨＹによって指示されたように異なるキャリアにおけるＭＡＣ  ＰＤＵの同時送信のために時間／周波数リソースを除く第１および第２のＭＡＣ  ＰＤＵのうちの少なくとも１つの送信のためのキャリア再選択および／またはリソース再選択をトリガすることと、ＰＨＹレイヤからの情報が指示する、送信のために利用不可能であるキャリア組合せおよび／または時間／周波数リソースに関係する情報を記憶することとをさらに含み得る。
【００７５】
いくつかの実施形態では、たとえば、時間／周波数リソースの利用可能なセットがＭＡＣ  ＰＤＴＵを受け入れるのに十分でないとき、方法は、第１および第２のＭＡＣ  ＰＤＵのうちの少なくとも１つの１つまたは複数のＭＡＣ  ＳＤＵを無線リンク制御（ＲＬＣ）バッファに返すことを含み得る。
【００７６】
送信のためのＭＡＣレイヤにおいて受信されたデータが、無線リンク制御（ＲＬＣ）レイヤサービスデータユニット（ＳＤＵ）を含み得る。
【００７７】
方法は、ＰＨＹレイヤにおいて、選択された第１および第２のキャリア上での第１および第２のＭＡＣ  ＰＤＵの同時送信が成功裡に実施され得るか否かの指示を生成することと、指示をＭＡＣレイヤに送信することとをさらに含み得る。
【００７８】
第１および第２のＭＡＣ  ＰＤＵが、第１のＴＴＩ内に、それぞれ、第１および第２のキャリア上で送信され得るかどうかを評価することは、ＰＨＹが、同時に第１および第２のキャリア上で送信することが可能であるかどうか、第１および第２のキャリア上での送信のための電力バジェットが圧倒されるかどうか、第１および第２のキャリア上での同時送信が、電力スペクトル密度（ＰＳＤ）不平衡につながり得るかどうか、強い干渉ノードが第１または第２のキャリア上で検出されるかどうか、第１または第２のキャリアが、サイドリンクデータを受信することまたはＵｕ送信を監視することのために忙しいかどうか、第１および第２のキャリアが、Ｕｕデータを受信または送信するために忙しいかどうか、ならびにＰＨＹレイヤが、送信機切替え時間に対する制限により、第１および第２のキャリア上で送信することが可能であるかどうか、のうちの少なくとも１つに依存し得る。
【００７９】
発明概念の例示的な実施形態が、以下に記載される。
【００８０】
実施形態１．  メディアアクセス制御（ＭＡＣ）レイヤと物理（ＰＨＹ）レイヤとを含む複数のプロトコルレイヤを有する第１の通信デバイスにおける方法であって、方法は、
ＭＡＣレイヤにおいて、サイドリンクインターフェースを介した第２の通信デバイスへの送信のためのデータを受信することと、
ＭＡＣレイヤにおいて、データから、第１および第２のＭＡＣプロトコルデータユニット（ＰＤＵ）を生成することと、
ＰＨＹレイヤが、それぞれ、第２の通信デバイスへのサイドリンク送信における第１および第２のＭＡＣ  ＰＤＵの送信のために使用するべきである利用可能なキャリアのセットからの選択された第１および第２のキャリアの指示とともに、第１の送信時間間隔（ＴＴＩ）における同時送信のためにＭＡＣレイヤからＰＨＹレイヤに第１および第２のＭＡＣ  ＰＤＵを提供することと、
ＭＡＣレイヤにおいて、ＰＨＹレイヤから確認応答を受信することであって、確認応答は、選択された第１および第２のキャリア上での第１および第２のＭＡＣ  ＰＤＵの同時送信が成功裡に実施されたか否かを指示する、確認応答を受信することと
を含む、方法。
【００８１】
実施形態２．  ＰＨＹレイヤからの確認応答が否定応答（ＮＡＫ）を備え、ＮＡＫは、ＰＨＹレイヤが、ＭＡＣレイヤによって指示されたそれぞれの選択されたキャリア上で第１および第２のＭＡＣ  ＰＤＵのうちの少なくとも１つを送信することができなかったことを指示する、実施形態１に記載の方法。
【００８２】
実施形態３．  確認応答は、選択された第１および第２のキャリア上でのそれぞれのＭＡＣ  ＰＤＵの送信が成功したかどうかを指示するフィードバックインジケータのアレイを備える、実施形態１または２に記載の方法。
【００８３】
実施形態４．
ＰＨＹレイヤから、ＭＡＣレイヤが将来のＴＴＩにおいて同時送信のために選択するべきでないキャリアの指示を受信すること
をさらに含む、実施形態１から３のいずれか１つに記載の方法。
【００８４】
実施形態５．
ＭＡＣレイヤにおいて否定応答が受信されたＭＡＣ  ＰＤＵ送信について、
後続のＴＴＩにおける異なるキャリア上での同時送信からＭＡＣ  ＰＤＵを除くことと、
後続のＴＴＩにおけるＭＡＣ  ＰＤＵの送信のためのキャリア再選択および／またはリソース再選択をトリガすることと、
ＭＡＣ  ＰＤＵを無線リンク制御（ＲＬＣ）バッファに返すことと、
ＭＡＣ  ＰＤＵ送信が不成功であったキャリア組合せおよび／または時間／周波数リソースに関係する情報を記憶することと、
成功裡に送信されなかったＭＡＣ  ＰＤＵに関係する送信カウンタを進めることを控えることと
のうちの少なくとも１つを実施すること
をさらに含む、実施形態１から４のいずれか１つに記載の方法。
【００８５】
実施形態６．  送信カウンタが、再送信カウンタ、ＣＵＲＲＥＮＴ＿ＩＲＶカウンタおよび／またはＳＬ＿ＲＥＳＯＵＲＣＥ＿ＲＥＳＥＬＥＣＴＩＯＮ＿ＣＯＵＮＴＥＲを備える、実施形態５に記載の方法。
【００８６】
実施形態７．
選択された第１および第２のキャリア上での第１および第２のＭＡＣ  ＰＤＵの送信が成功したことを確認応答が指示したことに応答して、第１および第２のキャリア上での同時送信が成功したことを指示する情報を記憶すること
をさらに含む、実施形態１から６のいずれか１つに記載の方法。
【００８７】
実施形態８．
ＰＨＹレイヤから、不成功の送信が再送信であったという指示を受信すること
をさらに含む、実施形態１から７のいずれか１つに記載の方法。
【００８８】
実施形態９．
ＰＨＹレイヤから、ＭＡＣ  ＰＤＵの不成功の送信が再送信であったという指示を受信したことに応答して、ＭＡＣ  ＰＤＵの送信をドロップすること
をさらに含む、実施形態８に記載の方法。
【００８９】
実施形態１０．  送信のためのＭＡＣレイヤにおいて受信されたデータが、無線リンク制御（ＲＬＣ）レイヤサービスデータユニット（ＳＤＵ）を備える、実施形態１に記載の方法。
【００９０】
実施形態１１．
ＰＨＹレイヤにおいて、第１および第２のＭＡＣ  ＰＤＵが、第１のＴＴＩ内に、それぞれ、第１および第２のキャリア上で送信され得るかどうかを評価することと、
評価に少なくとも部分的に基づいて、選択された第１および第２のキャリア上での第１および第２のＭＡＣ  ＰＤＵの同時送信が成功裡に実施されたか否かを指示する確認応答を生成することと
をさらに含む、実施形態１から１０のいずれか１つに記載の方法。
【００９１】
実施形態１２．  第１および第２のＭＡＣ  ＰＤＵが、第１のＴＴＩ内に、それぞれ、第１および第２のキャリア上で送信され得るかどうかを評価することは、ＰＨＹが、同時に第１および第２のキャリア上で送信することが可能であるかどうか、第１および第２のキャリア上での送信のための電力バジェットが圧倒されるかどうか、第１および第２のキャリア上での同時送信が、電力スペクトル密度（ＰＳＤ）不平衡につながり得るかどうか、強い干渉ノードが第１または第２のキャリア上で検出されるかどうか、第１または第２のキャリアが、サイドリンクデータを受信することまたはＵｕ送信を監視することのために忙しいかどうか、第１および第２のキャリアが、Ｕｕデータを受信または送信するために忙しいかどうか、ならびにＰＨＹレイヤが、送信機切替え時間に対する制限により、第１および第２のキャリア上で送信することが可能であるかどうか、のうちの少なくとも１つに依存する、実施形態１１に記載の方法。
【００９２】
実施形態１３．
無線通信ネットワークとの無線ネットワーク通信を提供するように設定されたトランシーバ（４００１）と、
トランシーバに結合されたプロセッサ（４００３）と
を備える第１の無線デバイス（ＵＥ）であって、プロセッサが、トランシーバを通して無線ネットワーク通信を提供するように設定され、プロセッサが、実施形態１から１２のいずれか１つに記載の動作を実施するように設定された、第１の無線デバイス（ＵＥ）。
【００９３】
実施形態１４．  無線端末が、実施形態１から１２のいずれか１つに従って実施するように適応された、無線デバイス（ＵＥ）。
【００９４】
実施形態１５．  無線通信ネットワークの基地局（ｅＮＢ）であって、基地局が、
無線端末との無線ネットワーク通信を提供するように設定されたトランシーバ（５００１）と、
トランシーバに結合されたプロセッサ（５００３）と
を備え、プロセッサが、トランシーバを通して無線ネットワーク通信を提供するように設定され、プロセッサが、実施形態１から１２のいずれか１つに記載の動作を実施するように設定された、基地局（ｅＮＢ）。
【００９５】
実施形態１６．  無線アクセスネットワークの基地局（ｅＮＢ）であって、基地局が、実施形態１から１２のいずれか１つに従って実施するように適応された、基地局（ｅＮＢ）。
【００９６】
実施形態１７．  メディアアクセス制御（ＭＡＣ）レイヤと物理（ＰＨＹ）レイヤとを含む複数のプロトコルレイヤを有する通信デバイスにおける方法であって、方法は、
ＭＡＣレイヤにおいて、キャリアアグリゲーションのための複数のキャリアを選択することであって、キャリアの各々が、それぞれのハイブリッド自動再送要求（ＨＡＲＱ）エンティティに関連する、複数のキャリアを選択することと、
ＭＡＣレイヤにおいて、トリガリングイベントに応答して、第１の通信デバイスによるサイドリンクリソース再選択プロセスを始動することと、
トリガリングイベントに関連するキャリアの識別情報を決定することと
を含み、
サイドリンクリソース再選択プロセスを始動することが、トリガリングイベントに関連するキャリアおよび関連するＨＡＲＱイベントについてのみ実施される、方法。
【００９７】
実施形態１８．
サイドリンクリソース再選択プロセスを始動した後に、前のキャリアを使用し続け、前のキャリア上でリソース再選択を実施することと、第２のサイドリンクキャリアを選択し、第２のサイドリンクキャリア上で第２のサイドリンクグラントを設定することと、サイドリンクキャリアを使用することを中止し、他のサイドリンクキャリアを選択しないこととのうちの少なくとも１つを実施すること
をさらに含む、実施形態１７に記載の方法。
【００９８】
実施形態１９．
無線通信ネットワークとの無線ネットワーク通信を提供するように設定されたトランシーバ（４００１）と、
トランシーバに結合されたプロセッサ（４００３）と
を備える第１の無線デバイス（ＵＥ）であって、プロセッサが、トランシーバを通して無線ネットワーク通信を提供するように設定され、プロセッサが、実施形態１７または１８に記載の動作を実施するように設定された、第１の無線デバイス（ＵＥ）。
【００９９】
実施形態２０．  無線端末が、実施形態１７または１８に従って実施するように適応された、無線デバイス（ＵＥ）。
【０１００】
実施形態２１．  無線通信ネットワークの基地局（ｅＮＢ）であって、基地局が、
無線端末との無線ネットワーク通信を提供するように設定されたトランシーバ（５００１）と、
トランシーバに結合されたプロセッサ（５００３）と
を備え、プロセッサが、トランシーバを通して無線ネットワーク通信を提供するように設定され、プロセッサが、実施形態１７または１８に記載の動作を実施するように設定された、基地局（ｅＮＢ）。
【０１０１】
実施形態２２．  無線アクセスネットワークの基地局（ｅＮＢ）であって、基地局が、実施形態１７または１８に従って実施するように適応された、基地局（ｅＮＢ）。
【０１０２】
実施形態２３．  ＭＡＣ  ＰＤＵをＲＬＣバッファに返すことが、ＭＡＣ  ＰＤＵの１つまたは複数のＭＡＣサービスデータユニット（ＳＤＵ）をＲＬＣバッファに返すことを含む、実施形態５に記載の方法。
【０１０３】
上記の開示からの略語についての説明が以下で与えられる。
略語  説明
ＣＡＭ  共同認識メッセージ
ＣＢＲ  チャネルビジー率
ＣＲ  チャネル率または占有率
ＤＥＮＭ  分散環境通知メッセージ
ＮＷ  ネットワーク
ＰＰＰＰ  ＰｒｏＳｅパケット毎優先度
ＰｒｏＳｅ  近傍サービス
ＲＲＣ  無線リソース制御
ＲＳＲＰ  参照信号受信電力
ＲＳＳＩ  受信信号強度インジケータ
ＵＥ  ユーザ機器
Ｖ２Ｉ  車両対インフラストラクチャ
Ｖ２Ｐ  車両対歩行者
Ｖ２Ｖ  車両対車両
Ｖ２Ｘ  Ｖｅｈｉｃｌｅ−ｔｏ−ａｎｙｔｈｉｎｇ
ＭＡＣ  媒体アクセス制御
ＰＨＹ  物理レイヤ
ＰＳＤ  電力スペクトル密度
ＰＤＵ  プロトコルデータユニット
ＲＬＣ  無線リンク制御
ＴＢ  トランスポートブロック
ＳＤＵ  サービスデータユニット
ＳＬ  サイドリンク
ＰＨＹ  物理レイヤ
【０１０４】
さらなる規定および実施形態が以下で説明される。
【０１０５】
本発明概念の様々な実施形態の上記の説明では、本明細書で使用される専門用語は、特定の実施形態を説明するためのものにすぎず、本発明概念を限定するものではないことを理解されたい。別段に規定されていない限り、本明細書で使用される（技術用語および科学用語を含む）すべての用語は、本発明概念が属する技術の当業者によって通常理解されるものと同じ意味を有する。通常使用される辞書において規定される用語など、用語は、本明細書および関連技術の文脈におけるそれらの用語の意味に従う意味を有するものとして解釈されるべきであり、明確にそのように本明細書で規定されない限り、理想的なまたは過度に形式的な意味において解釈されないことをさらに理解されよう。
【０１０６】
エレメントが、別のエレメントに「接続された」、「結合された」、「応答する」、またはそれらの変形態であると呼ばれるとき、そのエレメントは、他のエレメントに直接、接続され、結合され、または応答し得、あるいは介在するエレメントが存在し得る。対照的に、エレメントが、別のエレメントに「直接接続された」、「直接結合された」、「直接応答する」、またはそれらの変形態であると呼ばれるとき、介在するエレメントが存在しない。同様の番号は、全体を通して同様のエレメントを指す。さらに、本明細書で使用される、「結合された」、「接続された」、「応答する」、またはそれらの変形態は、無線で結合された、無線で接続された、または無線で応答する、を含み得る。本明細書で使用される単数形「ａ」、「ａｎ」および「ｔｈｅ」は、文脈が別段に明確に指示するのでなければ、複数形をも含むものとする。簡潔および／または明快のために、よく知られている機能または構築が詳細に説明されないことがある。「および／または」という用語は、関連するリストされた項目のうちの１つまたは複数の任意のおよび全部の組合せを含む。
【０１０７】
様々な要素／動作を説明するために、第１の、第２の、第３の、などの用語が本明細書で使用され得るが、これらの要素／動作は、これらの用語によって限定されるべきでないことを理解されよう。これらの用語は、あるエレメント／動作を別のエレメント／動作と区別するために使用されるにすぎない。したがって、本発明概念の教示から逸脱することなしに、いくつかの実施形態における第１のエレメント／動作が、他の実施形態において第２のエレメント／動作と呼ばれることがある。同じ参照番号または同じ参照符号は、本明細書全体にわたって同じまたは同様のエレメントを示す。
【０１０８】
本明細書で使用される、「備える、含む（ｃｏｍｐｒｉｓｅ）」、「備える、含む（ｃｏｍｐｒｉｓｉｎｇ）」、「備える、含む（ｃｏｍｐｒｉｓｅｓ）」、「含む（ｉｎｃｌｕｄｅ）」、「含む（ｉｎｃｌｕｄｉｎｇ）」、「含む（ｉｎｃｌｕｄｅｓ）」、「有する（ｈａｖｅ）」、「有する（ｈａｓ）」、「有する（ｈａｖｉｎｇ）」という用語、またはそれらの変形態は、オープンエンドであり、１つまたは複数の述べられた特徴、整数、エレメント、ステップ、構成要素または機能を含むが、１つまたは複数の他の特徴、整数、エレメント、ステップ、構成要素、機能またはそれらのグループの存在または追加を排除しない。さらに、本明細書で使用される、「たとえば（ｅｘｅｍｐｌｉ  ｇｒａｔｉａ）」というラテン語句に由来する「たとえば（ｅ．ｇ．）」という通例の略語は、前述の項目の一般的な１つまたは複数の例を紹介するかまたは具体的に挙げるために使用され得、そのような項目を限定するものではない。「すなわち（ｉｄ  ｅｓｔ）」というラテン語句に由来する「すなわち（ｉ．ｅ．）」という通例の略語は、より一般的な具陳から特定の項目を具体的に挙げるために使用され得る。
【０１０９】
例示的な実施形態が、コンピュータ実装方法、装置（システムおよび／またはデバイス）および／またはコンピュータプログラム製品のブロック図および／またはフローチャート例示を参照しながら本明細書で説明された。ブロック図および／またはフローチャート例示のブロック、ならびにブロック図および／またはフローチャート例示中のブロックの組合せが、１つまたは複数のコンピュータ回路によって実施されるコンピュータプログラム命令によって実装され得ることを理解されたい。これらのコンピュータプログラム命令は、汎用コンピュータ回路、専用コンピュータ回路、および／またはマシンを作り出すための他のプログラマブルデータ処理回路のプロセッサ回路に提供され得、したがって、コンピュータおよび／または他のプログラマブルデータ処理装置のプロセッサを介して実行する命令は、ブロック図および／またはフローチャートの１つまたは複数のブロックにおいて指定された機能／行為を実装するために、およびそれにより、ブロック図および／またはフローチャートの（１つまたは複数の）ブロックにおいて指定された機能／行為を実装するための手段（機能性）および／または構造を作成するために、トランジスタ、メモリロケーションに記憶された値、およびそのような回路要素内の他のハードウェア構成要素を変換および制御する。
【０１１０】
これらのコンピュータプログラム命令はまた、コンピュータまたは他のプログラマブルデータ処理装置に特定の様式で機能するように指示することができる、有形コンピュータ可読媒体に記憶され得、したがって、コンピュータ可読媒体に記憶された命令は、ブロック図および／またはフローチャートの１つまたは複数のブロックにおいて指定された機能／行為を実装する命令を含む製造品を作り出す。したがって、本発明概念の実施形態は、ハードウェアで、および／または「回路要素」、「モジュール」またはそれらの変形態と総称して呼ばれることがある、デジタル信号プロセッサなどのプロセッサ上で稼働する（ファームウェア、常駐ソフトウェア、マイクロコードなどを含む）ソフトウェアで具現され得る。
【０１１１】
また、いくつかの代替実装形態では、ブロック中で言及される機能／行為は、フローチャート中で言及される順序から外れて行われ得ることに留意されたい。たとえば、関与する機能性／行為に応じて、連続して示されている２つのブロックが、事実上、実質的にコンカレントに実行され得るか、またはブロックが、時々、逆の順序で実行され得る。その上、フローチャートおよび／またはブロック図の所与のブロックの機能性が、複数のブロックに分離され得、ならびに／あるいはフローチャートおよび／またはブロック図の２つまたはそれ以上のブロックの機能性が、少なくとも部分的に統合され得る。最後に、他のブロックが、示されているブロック間に追加／挿入され得、および／または発明概念の範囲から逸脱することなく、ブロック／動作が省略され得る。その上、図のうちのいくつかが、通信の主要な方向を示すために通信経路上に矢印を含むが、通信が、図示された矢印と反対方向に行われ得ることを理解されたい。
【０１１２】
本発明概念の原理から実質的に逸脱することなしに、実施形態に対して多くの変形および修正が行われ得る。すべてのそのような変形および修正は、本発明概念の範囲内で本明細書に含まれるものとする。したがって、上記で開示された主題は、例示であり、限定するものではないと見なされるべきであり、実施形態の例は、本発明概念の趣旨および範囲内に入る、すべてのそのような修正、拡張、および他の実施形態をカバーするものとする。したがって、法によって最大限に許容される限りにおいて、本発明概念の範囲は、実施形態およびそれらの等価物の例を含む、本開示の最も広い許容可能な解釈によって決定されるべきであり、上記の詳細な説明によって制限または限定されるべきでない。
【０１１３】
追加の説明が以下で与えられる。
【０１１４】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになろう。
【０１１５】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【０１１６】
図１０：いくつかの実施形態による無線ネットワーク。
【０１１７】
本明細書で説明される主題は、任意の好適な構成要素を使用する任意の適切なタイプのシステムにおいて実装され得るが、本明細書で開示される実施形態は、図１０に示されている例示的な無線ネットワークなどの無線ネットワークに関して説明される。簡単のために、図１０の無線ネットワークは、ネットワークＱＱ１０６、ネットワークノードＱＱ１６０およびＱＱ１６０ｂ、ならびに（モバイル端末とも呼ばれる）ＷＤ  ＱＱ１１０、ＱＱ１１０ｂ、およびＱＱ１１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノードＱＱ１６０および無線デバイス（ＷＤ）ＱＱ１１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【０１１８】
無線ネットワークは、任意のタイプの通信、通信、データ、セルラー、および／または無線ネットワーク、あるいは他の同様のタイプのシステムを含み、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【０１１９】
ネットワークＱＱ１０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【０１２０】
ネットワークノードＱＱ１６０およびＷＤ  ＱＱ１１０は、以下でより詳細に説明される様々な構成要素を備える。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【０１２１】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）およびＮＲノードＢ（ｇＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【０１２２】
図１０では、ネットワークノードＱＱ１６０は、処理回路要素ＱＱ１７０と、デバイス可読媒体ＱＱ１８０と、インターフェースＱＱ１９０と、補助機器ＱＱ１８４と、電源ＱＱ１８６と、電力回路要素ＱＱ１８７と、アンテナＱＱ１６２とを含む。図１０の例示的な無線ネットワーク中に示されているネットワークノードＱＱ１６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノードＱＱ１６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体ＱＱ１８０は、複数の別個のハードドライブならびに複数のＲＡＭモジュールを備え得る）。
【０１２３】
同様に、ネットワークノードＱＱ１６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノードＱＱ１６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、多数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノードＱＱ１６０は、複数の無線アクセス技術（ＲＡＴ）をサポートするように設定され得る。そのような実施形態では、いくつかの構成要素は複製され得（たとえば、異なるＲＡＴのための別個のデバイス可読媒体ＱＱ１８０）、いくつかの構成要素は再使用され得る（たとえば、同じアンテナＱＱ１６２がＲＡＴによって共有され得る）。ネットワークノードＱＱ１６０は、ネットワークノードＱＱ１６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノードＱＱ１６０内の他の構成要素に統合され得る。
【０１２４】
処理回路要素ＱＱ１７０は、ネットワークノードによって提供されるものとして本明細書で説明される、任意の決定動作、計算動作、または同様の動作（たとえば、いくつかの取得動作）を実施するように設定される。処理回路要素ＱＱ１７０によって実施されるこれらの動作は、処理回路要素ＱＱ１７０によって取得された情報を、たとえば、取得された情報を他の情報にコンバートすることによって、処理すること、取得された情報またはコンバートされた情報をネットワークノードに記憶された情報と比較すること、ならびに／あるいは、取得された情報またはコンバートされた情報に基づいて、および前記処理が決定を行ったことの結果として、１つまたは複数の動作を実施することを含み得る。
【０１２５】
処理回路要素ＱＱ１７０は、単体で、またはデバイス可読媒体ＱＱ１８０などの他のネットワークノードＱＱ１６０構成要素と併せてのいずれかで、ネットワークノードＱＱ１６０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路要素ＱＱ１７０は、デバイス可読媒体ＱＱ１８０に記憶された命令、または処理回路要素ＱＱ１７０内のメモリに記憶された命令を実行し得る。そのような機能性は、本明細書で説明される様々な無線特徴、機能、または利益のうちのいずれかを提供することを含み得る。いくつかの実施形態では、処理回路要素ＱＱ１７０は、システムオンチップ（ＳＯＣ）を含み得る。
【０１２６】
いくつかの実施形態では、処理回路要素ＱＱ１７０は、無線周波数（ＲＦ）トランシーバ回路要素ＱＱ１７２とベースバンド処理回路要素ＱＱ１７４とのうちの１つまたは複数を含み得る。いくつかの実施形態では、無線周波数（ＲＦ）トランシーバ回路要素ＱＱ１７２とベースバンド処理回路要素ＱＱ１７４とは、別個のチップ（またはチップのセット）、ボード、または無線ユニットおよびデジタルユニットなどのユニット上にあり得る。代替実施形態では、ＲＦトランシーバ回路要素ＱＱ１７２とベースバンド処理回路要素ＱＱ１７４との一部または全部は、同じチップまたはチップのセット、ボード、あるいはユニット上にあり得る。
【０１２７】
いくつかの実施形態では、ネットワークノード、基地局、ｅＮＢまたは他のそのようなネットワークデバイスによって提供されるものとして本明細書で説明される機能性の一部または全部は、デバイス可読媒体ＱＱ１８０、または処理回路要素ＱＱ１７０内のメモリに記憶された、命令を実行する処理回路要素ＱＱ１７０によって実施され得る。代替実施形態では、機能性の一部または全部は、ハードワイヤード様式などで、別個のまたは個別のデバイス可読媒体に記憶された命令を実行することなしに、処理回路要素ＱＱ１７０によって提供され得る。それらの実施形態のいずれでも、デバイス可読記憶媒体に記憶された命令を実行するか否かにかかわらず、処理回路要素ＱＱ１７０は、説明される機能性を実施するように設定され得る。そのような機能性によって提供される利益は、処理回路要素ＱＱ１７０単独に、またはネットワークノードＱＱ１６０の他の構成要素に限定されないが、全体としてネットワークノードＱＱ１６０によって、ならびに／または概してエンドユーザおよび無線ネットワークによって、享受される。
【０１２８】
デバイス可読媒体ＱＱ１８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素ＱＱ１７０によって使用され得る情報、データ、および／または命令を記憶する、任意の他の揮発性または不揮発性、非一時的デバイス可読および／またはコンピュータ実行可能メモリデバイスを備え得る。デバイス可読媒体ＱＱ１８０は、コンピュータプログラム、ソフトウェア、論理、ルール、コード、テーブルなどのうちの１つまたは複数を含むアプリケーション、および／または処理回路要素ＱＱ１７０によって実行されることが可能であり、ネットワークノードＱＱ１６０によって利用される、他の命令を含む、任意の好適な命令、データまたは情報を記憶し得る。デバイス可読媒体ＱＱ１８０は、処理回路要素ＱＱ１７０によって行われた計算および／またはインターフェースＱＱ１９０を介して受信されたデータを記憶するために使用され得る。いくつかの実施形態では、処理回路要素ＱＱ１７０およびデバイス可読媒体ＱＱ１８０は、統合されていると見なされ得る。
【０１２９】
インターフェースＱＱ１９０は、ネットワークノードＱＱ１６０、ネットワークＱＱ１０６、および／またはＷＤ  ＱＱ１１０の間のシグナリングおよび／またはデータの有線または無線通信において使用される。示されているように、インターフェースＱＱ１９０は、たとえば有線接続上でネットワークＱＱ１０６との間でデータを送るおよび受信するための（１つまたは複数の）ポート／（１つまたは複数の）端末ＱＱ１９４を備える。インターフェースＱＱ１９０は、アンテナＱＱ１６２に結合されるか、またはいくつかの実施形態では、アンテナＱＱ１６２の一部であり得る、無線フロントエンド回路要素ＱＱ１９２をも含む。無線フロントエンド回路要素ＱＱ１９２は、フィルタＱＱ１９８と増幅器ＱＱ１９６とを備える。無線フロントエンド回路要素ＱＱ１９２は、アンテナＱＱ１６２および処理回路要素ＱＱ１７０に接続され得る。無線フロントエンド回路要素は、アンテナＱＱ１６２と処理回路要素ＱＱ１７０との間で通信される信号を調節するように設定され得る。無線フロントエンド回路要素ＱＱ１９２は、無線接続を介して他のネットワークノードまたはＷＤに送出されるべきであるデジタルデータを受信し得る。無線フロントエンド回路要素ＱＱ１９２は、デジタルデータを、フィルタＱＱ１９８および／または増幅器ＱＱ１９６の組合せを使用して適切なチャネルおよび帯域幅パラメータを有する無線信号にコンバートし得る。無線信号は、次いで、アンテナＱＱ１６２を介して送信され得る。同様に、データを受信するとき、アンテナＱＱ１６２は無線信号を収集し得、次いで、無線信号は無線フロントエンド回路要素ＱＱ１９２によってデジタルデータにコンバートされる。デジタルデータは、処理回路要素ＱＱ１７０に受け渡され得る。他の実施形態では、インターフェースは、異なる構成要素および／または構成要素の異なる組合せを備え得る。
【０１３０】
いくつかの代替実施形態では、ネットワークノードＱＱ１６０は別個の無線フロントエンド回路要素ＱＱ１９２を含まないことがあり、代わりに、処理回路要素ＱＱ１７０は、無線フロントエンド回路要素を備え得、別個の無線フロントエンド回路要素ＱＱ１９２なしでアンテナＱＱ１６２に接続され得る。同様に、いくつかの実施形態では、ＲＦトランシーバ回路要素ＱＱ１７２の全部または一部が、インターフェースＱＱ１９０の一部と見なされ得る。さらに他の実施形態では、インターフェースＱＱ１９０は、無線ユニット（図示せず）の一部として、１つまたは複数のポートまたは端末ＱＱ１９４と、無線フロントエンド回路要素ＱＱ１９２と、ＲＦトランシーバ回路要素ＱＱ１７２とを含み得、インターフェースＱＱ１９０は、デジタルユニット（図示せず）の一部であるベースバンド処理回路要素ＱＱ１７４と通信し得る。
【０１３１】
アンテナＱＱ１６２は、無線信号を送り、および／または受信するように設定された、１つまたは複数のアンテナまたはアンテナアレイを含み得る。アンテナＱＱ１６２は、無線フロントエンド回路要素ＱＱ１９２に結合され得、データおよび／または信号を無線で送信および受信することが可能な任意のタイプのアンテナであり得る。いくつかの実施形態では、アンテナＱＱ１６２は、たとえば、２ＧＨｚと６６ＧＨｚとの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナＱＱ１６２は、ネットワークノードＱＱ１６０とは別個であり得、インターフェースまたはポートを通してネットワークノードＱＱ１６０に接続可能であり得る。
【０１３２】
アンテナＱＱ１６２、インターフェースＱＱ１９０、および／または処理回路要素ＱＱ１７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナＱＱ１６２、インターフェースＱＱ１９０、および／または処理回路要素ＱＱ１７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【０１３３】
電力回路要素ＱＱ１８７は、電力管理回路要素を備えるか、または電力管理回路要素に結合され得、本明細書で説明される機能性を実施するための電力を、ネットワークノードＱＱ１６０の構成要素に供給するように設定される。電力回路要素ＱＱ１８７は、電源ＱＱ１８６から電力を受信し得る。電源ＱＱ１８６および／または電力回路要素ＱＱ１８７は、それぞれの構成要素に好適な形式で（たとえば、各それぞれの構成要素のために必要とされる電圧および電流レベルにおいて）、ネットワークノードＱＱ１６０の様々な構成要素に電力を提供するように設定され得る。電源ＱＱ１８６は、電力回路要素ＱＱ１８７および／またはネットワークノードＱＱ１６０中に含まれるか、あるいは電力回路要素ＱＱ１８７および／またはネットワークノードＱＱ１６０の外部にあるかのいずれかであり得る。たとえば、ネットワークノードＱＱ１６０は、電気ケーブルなどの入力回路要素またはインターフェースを介して外部電源（たとえば、電気コンセント）に接続可能であり得、それにより、外部電源は電力回路要素ＱＱ１８７に電力を供給する。さらなる例として、電源ＱＱ１８６は、電力回路要素ＱＱ１８７に接続された、または電力回路要素ＱＱ１８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【０１３４】
ネットワークノードＱＱ１６０の代替実施形態は、本明細書で説明される機能性、および／または本明細書で説明される主題をサポートするために必要な機能性のうちのいずれかを含む、ネットワークノードの機能性のいくつかの態様を提供することを担当し得る、図１０に示されている構成要素以外の追加の構成要素を含み得る。たとえば、ネットワークノードＱＱ１６０は、ネットワークノードＱＱ１６０への情報の入力を可能にするための、およびネットワークノードＱＱ１６０からの情報の出力を可能にするための、ユーザインターフェース機器を含み得る。これは、ユーザが、ネットワークノードＱＱ１６０のための診断、メンテナンス、修復、および他のアドミニストレーティブ機能を実施することを可能にし得る。
【０１３５】
本明細書で使用される無線デバイス（ＷＤ）は、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。ＷＤは、たとえばサイドリンク通信、車両対車両（Ｖ２Ｖ）、車両対インフラストラクチャ（Ｖ２Ｉ）、Ｖ２Ｘ（Ｖｅｈｉｃｌｅ−ｔｏ−Ｅｖｅｒｙｔｈｉｎｇ）のための３ＧＰＰ規格を実装することによって、デバイスツーデバイス（Ｄ２Ｄ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシンツーマシン（Ｍ２Ｍ）デバイスであり得、Ｍ２Ｍデバイスは、３ＧＰＰコンテキストではＭＴＣデバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連する他の機能が可能である。上記で説明されたＷＤは無線接続のエンドポイントを表し得、その場合、デバイスは無線端末と呼ばれることがある。さらに、上記で説明されたＷＤはモバイルであり得、その場合、デバイスはモバイルデバイスまたはモバイル端末と呼ばれることもあ��。
【０１３６】
示されているように、無線デバイスＱＱ１１０は、アンテナＱＱ１１１、インターフェースＱＱ１１４、処理回路要素ＱＱ１２０、デバイス可読媒体ＱＱ１３０、ユーザインターフェース機器ＱＱ１３２、補助機器ＱＱ１３４、電源ＱＱ１３６、および電力回路要素ＱＱ１３７を含む。ＷＤ  ＱＱ１１０は、ＷＤ  ＱＱ１１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ  ＱＱ１１０内の他の構成要素と同じまたは異なるチップまたはチップのセットに統合され得る。
【０１３７】
アンテナＱＱ１１１は、無線信号を送り、および／または受信するように設定された、１つまたは複数のアンテナまたはアンテナアレイを含み得、インターフェースＱＱ１１４に接続される。いくつかの代替実施形態では、アンテナＱＱ１１１は、ＷＤ  ＱＱ１１０とは別個であり、インターフェースまたはポートを通してＷＤ  ＱＱ１１０に接続可能であり得る。アンテナＱＱ１１１、インターフェースＱＱ１１４、および／または処理回路要素ＱＱ１２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路要素および／またはアンテナＱＱ１１１は、インターフェースと見なされ得る。
【０１３８】
示されているように、インターフェースＱＱ１１４は、無線フロントエンド回路要素ＱＱ１１２とアンテナＱＱ１１１とを備える。無線フロントエンド回路要素ＱＱ１１２は、１つまたは複数のフィルタＱＱ１１８と増幅器ＱＱ１１６とを備える。無線フロントエンド回路要素ＱＱ１１２は、アンテナＱＱ１１１および処理回路要素ＱＱ１２０に接続され、アンテナＱＱ１１１と処理回路要素ＱＱ１２０との間で通信される信号を調節するように設定される。無線フロントエンド回路要素ＱＱ１１２は、アンテナＱＱ１１１に結合されるか、またはアンテナＱＱ１１１の一部であり得る。いくつかの実施形態では、ＷＤ  ＱＱ１１０は別個の無線フロントエンド回路要素ＱＱ１１２を含まないことがあり、むしろ、処理回路要素ＱＱ１２０は、無線フロントエンド回路要素を備え得、アンテナＱＱ１１１に接続され得る。同様に、いくつかの実施形態では、ＲＦトランシーバ回路要素ＱＱ１２２の一部または全部が、インターフェースＱＱ１１４の一部と見なされ得る。無線フロントエンド回路要素ＱＱ１１２は、無線接続を介して他のネットワークノードまたはＷＤに送出されるべきであるデジタルデータを受信し得る。無線フロントエンド回路要素ＱＱ１１２は、デジタルデータを、フィルタＱＱ１１８および／または増幅器ＱＱ１１６の組合せを使用して適切なチャネルおよび帯域幅パラメータを有する無線信号にコンバートし得る。無線信号は、次いで、アンテナＱＱ１１１を介して送信され得る。同様に、データを受信するとき、アンテナＱＱ１１１は無線信号を収集し得、次いで、無線信号は無線フロントエンド回路要素ＱＱ１１２によってデジタルデータにコンバートされる。デジタルデータは、処理回路要素ＱＱ１２０に受け渡され得る。他の実施形態では、インターフェースは、異なる構成要素および／または構成要素の異なる組合せを備え得る。
【０１３９】
処理回路要素ＱＱ１２０は、単体で、またはデバイス可読媒体ＱＱ１３０などの他のＷＤ  ＱＱ１１０構成要素と併せてのいずれかで、ＷＤ  ＱＱ１１０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能性は、本明細書で説明される様々な無線特徴または利益のうちのいずれかを提供することを含み得る。たとえば、処理回路要素ＱＱ１２０は、本明細書で開示される機能性を提供するために、デバイス可読媒体ＱＱ１３０に記憶された命令、または処理回路要素ＱＱ１２０内のメモリに記憶された命令を実行し得る。
【０１４０】
示されているように、処理回路要素ＱＱ１２０は、ＲＦトランシーバ回路要素ＱＱ１２２、ベースバンド処理回路要素ＱＱ１２４、およびアプリケーション処理回路要素ＱＱ１２６のうちの１つまたは複数を含む。他の実施形態では、処理回路要素は、異なる構成要素および／または構成要素の異なる組合せを備え得る。いくつかの実施形態では、ＷＤ  ＱＱ１１０の処理回路要素ＱＱ１２０は、ＳＯＣを備え得る。いくつかの実施形態では、ＲＦトランシーバ回路要素ＱＱ１２２、ベースバンド処理回路要素ＱＱ１２４、およびアプリケーション処理回路要素ＱＱ１２６は、別個のチップまたはチップのセット上にあり得る。代替実施形態では、ベースバンド処理回路要素ＱＱ１２４およびアプリケーション処理回路要素ＱＱ１２６の一部または全部は１つのチップまたはチップのセットになるように組み合わせられ得、ＲＦトランシーバ回路要素ＱＱ１２２は別個のチップまたはチップのセット上にあり得る。さらに代替の実施形態では、ＲＦトランシーバ回路要素ＱＱ１２２およびベースバンド処理回路要素ＱＱ１２４の一部または全部は同じチップまたはチップのセット上にあり得、アプリケーション処理回路要素ＱＱ１２６は別個のチップまたはチップのセット上にあり得る。また他の代替実施形態では、ＲＦトランシーバ回路要素ＱＱ１２２、ベースバンド処理回路要素ＱＱ１２４、およびアプリケーション処理回路要素ＱＱ１２６の一部または全部は、同じチップまたはチップのセット中で組み合わせられ得る。いくつかの実施形態では、ＲＦトランシーバ回路要素ＱＱ１２２は、インターフェースＱＱ１１４の一部であり得る。ＲＦトランシーバ回路要素ＱＱ１２２は、処理回路要素ＱＱ１２０のためのＲＦ信号を調節し得る。
【０１４１】
いくつかの実施形態では、ＷＤによって実施されるものとして本明細書で説明される機能性の一部または全部は、デバイス可読媒体ＱＱ１３０に記憶された命令を実行する処理回路要素ＱＱ１２０によって提供され得、デバイス可読媒体ＱＱ１３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素ＱＱ１２０によって提供され得る。それらの特定の実施形態のいずれでも、デバイス可読記憶媒体に記憶された命令を実行するか否かにかかわらず、処理回路要素ＱＱ１２０は、説明される機能性を実施するように設定され得る。そのような機能性によって提供される利益は、処理回路要素ＱＱ１２０単独に、またはＷＤ  ＱＱ１１０の他の構成要素に限定されないが、全体としてＷＤ  ＱＱ１１０によって、ならびに／または概してエンドユーザおよび無線ネットワークによって、享受される。
【０１４２】
処理回路要素ＱＱ１２０は、ＷＤによって実施されるものとして本明細書で説明される、任意の決定動作、計算動作、または同様の動作（たとえば、いくつかの取得動作）を実施するように設定され得る。処理回路要素ＱＱ１２０によって実施されるようなこれらの動作は、処理回路要素ＱＱ１２０によって取得された情報を、たとえば、取得された情報を他の情報にコンバートすることによって、処理すること、取得された情報またはコンバートされた情報をＷＤ  ＱＱ１１０によって記憶された情報と比較すること、ならびに／あるいは、取得された情報またはコンバートされた情報に基づいて、および前記処理が決定を行ったことの結果として、１つまたは複数の動作を実施することを含み得る。
【０１４３】
デバイス可読媒体ＱＱ１３０は、コンピュータプログラム、ソフトウェア、論理、ルール、コード、テーブルなどのうちの１つまたは複数を含むアプリケーション、および／または処理回路要素ＱＱ１２０によって実行されることが可能な他の命令を記憶するように動作可能であり得る。デバイス可読媒体ＱＱ１３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素ＱＱ１２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素ＱＱ１２０およびデバイス可読媒体ＱＱ１３０は、統合されていると見なされ得る。ユーザインターフェース機器ＱＱ１３２は、人間のユーザがＷＤ  ＱＱ１１０と対話することを可能にする構成要素を提供し得る。そのような対話は、視覚、聴覚、触覚など、多くの形式のものであり得る。ユーザインターフェース機器ＱＱ１３２は、ユーザへの出力を作り出すように、およびユーザがＷＤ  ＱＱ１１０への入力を提供することを可能にするように動作可能であり得る。対話のタイプは、ＷＤ  ＱＱ１１０にインストールされるユーザインターフェース機器ＱＱ１３２のタイプに応じて変化し得る。たとえば、ＷＤ  ＱＱ１１０がスマートフォンである場合、対話はタッチスクリーンを介したものであり得、ＷＤ  ＱＱ１１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器ＱＱ１３２は、入力インターフェース、デバイスおよび回路、ならびに、出力インターフェース、デバイスおよび回路を含み得る。ユーザインターフェース機器ＱＱ１３２は、ＷＤ  ＱＱ１１０への情報の入力を可能にするように設定され、処理回路要素ＱＱ１２０が入力情報を処理することを可能にするために、処理回路要素ＱＱ１２０に接続される。ユーザインターフェース機器ＱＱ１３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器ＱＱ１３２はまた、ＷＤ  ＱＱ１１０からの情報の出力を可能にするように、および処理回路要素ＱＱ１２０がＷＤ  ＱＱ１１０からの情報を出力することを可能にするように設定される。ユーザインターフェース機器ＱＱ１３２は、たとえば、スピーカー、ディスプレイ、振動回路要素、ＵＳＢポート、ヘッドフォンインターフェース、または他の出力回路要素を含み得る。ユーザインターフェース機器ＱＱ１３２の１つまたは複数の入力および出力インターフェース、デバイス、および回路を使用して、ＷＤ  ＱＱ１１０は、エンドユーザおよび／または無線ネットワークと通信し、エンドユーザおよび／または無線ネットワークが本明細書で説明される機能性から利益を得ることを可能にし得る。
【０１４４】
補助機器ＱＱ１３４は、概してＷＤによって実施されないことがある、より特定の機能性を提供するように動作可能である。これは、様々な目的のために測定を行うための特殊化されたセンサー、有線通信などのさらなるタイプの通信のためのインターフェースなどを備え得る。補助機器ＱＱ１３４の構成要素の包含およびタイプは、実施形態および／またはシナリオに応じて変化し得る。
【０１４５】
電源ＱＱ１３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ  ＱＱ１１０は、電源ＱＱ１３６から、本明細書で説明または指示される任意の機能性を行うために電源ＱＱ１３６からの電力を必要とする、ＷＤ  ＱＱ１１０の様々な部分に電力を配信するための、電力回路要素ＱＱ１３７をさらに備え得る。電力回路要素ＱＱ１３７は、いくつかの実施形態では、電力管理回路要素を備え得る。電力回路要素ＱＱ１３７は、追加または代替として、外部電源から電力を受信するように動作可能であり得、その場合、ＷＤ  ＱＱ１１０は、電力ケーブルなどの入力回路要素またはインターフェースを介して（電気コンセントなどの）外部電源に接続可能であり得る。電力回路要素ＱＱ１３７はまた、いくつかの実施形態では、外部電源から電源ＱＱ１３６に電力を配信するように動作可能であり得る。これは、たとえば、電源ＱＱ１３６の充電のためのものであり得る。電力回路要素ＱＱ１３７は、電源ＱＱ１３６からの電力に対して、その電力を、電力が供給されるＷＤ  ＱＱ１１０のそれぞれの構成要素に好適であるようにするために、任意のフォーマッティング、コンバート、または他の修正を実施し得る。
【０１４６】
図１１：いくつかの実施形態によるユーザ機器。
【０１４７】
図１１は、本明細書で説明される様々な態様による、ＵＥの一実施形態を示す。本明細書で使用されるユーザ機器またはＵＥは、必ずしも、関連するデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連しないことがあるか、または特定の人間のユーザに初めに関連しないことがある、デバイス（たとえば、スマートスプリンクラーコントローラ）を表し得る。代替的に、ＵＥは、エンドユーザへの販売、またはエンドユーザによる動作を意図されないが、ユーザに関連するか、またはユーザの利益のために動作され得る、デバイス（たとえば、スマート電力計）を表し得る。ＵＥ  ＱＱ２００は、ＮＢ−ＩｏＴ  ＵＥ、マシン型通信（ＭＴＣ）ＵＥ、および／または拡張ＭＴＣ（ｅＭＴＣ）ＵＥを含む、第３世代パートナーシッププロジェクト（３ＧＰＰ）によって識別される任意のＵＥであり得る。図１１に示されているＵＥ  ＱＱ２００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図１１はＵＥであるが、本明細書で説明される構成要素は、ＷＤに等しく適用可能であり、その逆も同様である。
【０１４８】
図１１では、ＵＥ  ＱＱ２００は、入出力インターフェースＱＱ２０５、無線周波数（ＲＦ）インターフェースＱＱ２０９、ネットワーク接続インターフェースＱＱ２１１、ランダムアクセスメモリ（ＲＡＭ）ＱＱ２１７と読取り専用メモリ（ＲＯＭ）ＱＱ２１９と記憶媒体ＱＱ２２１などとを含むメモリＱＱ２１５、通信サブシステムＱＱ２３１、電源ＱＱ２１３、および／または他の構成要素、あるいはそれらの任意の組合せに動作可能に結合された、処理回路要素ＱＱ２０１を含む。記憶媒体ＱＱ２２１は、オペレーティングシステムＱＱ２２３と、アプリケーションプログラムＱＱ２２５と、データＱＱ２２７とを含む。他の実施形態では、記憶媒体ＱＱ２２１は、他の同様のタイプの情報を含み得る。いくつかのＵＥは、図１１に示されている構成要素のすべてを利用するか、またはそれらの構成要素のサブセットのみを利用し得る。構成要素間の統合のレベルは、ＵＥごとに変化し得る。さらに、いくつかのＵＥは、複数のプロセッサ、メモリ、トランシーバ、送信機、受信機など、構成要素の複数のインスタンスを含んでいることがある。
【０１４９】
図１１では、処理回路要素ＱＱ２０１は、コンピュータ命令およびデータを処理するように設定され得る。処理回路要素ＱＱ２０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素ＱＱ２０１は、２つの中央処理ユニット（ＣＰＵ）を含み得る。データは、コンピュータによる使用に好適な形式での情報であり得る。
【０１５０】
図示された実施形態では、入出力インターフェースＱＱ２０５は、入力デバイス、出力デバイス、または入出力デバイスに通信インターフェースを提供するように設定され得る。ＵＥ  ＱＱ２００は、入出力インターフェースＱＱ２０５を介して出力デバイスを使用するように設定され得る。出力デバイスは、入力デバイスと同じタイプのインターフェースポートを使用し得る。たとえば、ＵＥ  ＱＱ２００への入力およびＵＥ  ＱＱ２００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ  ＱＱ２００は、ユーザがＵＥ  ＱＱ２００に情報をキャプチャすることを可能にするために、入出力インターフェースＱＱ２０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【０１５１】
図１１では、ＲＦインターフェースＱＱ２０９は、送信機、受信機、およびアンテナなど、ＲＦ構成要素に通信インターフェースを提供するように設定され得る。ネットワーク接続インターフェースＱＱ２１１は、ネットワークＱＱ２４３ａに通信インターフェースを提供するように設定され得る。ネットワークＱＱ２４３ａは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワークＱＱ２４３ａは、Ｗｉ−Ｆｉネットワークを備え得る。ネットワーク接続インターフェースＱＱ２１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェースＱＱ２１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、あるいは、代替的に、別個に実装され得る。
【０１５２】
ＲＡＭ  ＱＱ２１７は、オペレーティングシステム、アプリケーションプログラム、およびデバイスドライバなど、ソフトウェアプログラムの実行中に、データまたはコンピュータ命令の記憶またはキャッシングを提供するために、バスＱＱ２０２を介して処理回路要素ＱＱ２０１にインターフェースするように設定され得る。ＲＯＭ  ＱＱ２１９は、処理回路要素ＱＱ２０１にコンピュータ命令またはデータを提供するように設定され得る。たとえば、ＲＯＭ  ＱＱ２１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体ＱＱ２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体ＱＱ２２１は、オペレーティングシステムＱＱ２２３と、ウェブブラウザアプリケーション、ウィジェットまたはガジェットエンジン、あるいは別のアプリケーションなどのアプリケーションプログラムＱＱ２２５と、データファイルＱＱ２２７とを含むように設定され得る。記憶媒体ＱＱ２２１は、ＵＥ  ＱＱ２００による使用のために、多様な様々なオペレーティングシステムまたはオペレーティングシステムの組合せのうちのいずれかを記憶し得る。
【０１５３】
記憶媒体ＱＱ２２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、またはそれらの任意の組合せなど、いくつかの物理ドライブユニットを含むように設定され得る。記憶媒体ＱＱ２２１は、ＵＥ  ＱＱ２００が、一時的または非一時的メモリ媒体に記憶されたコンピュータ実行可能命令、アプリケーションプログラムなどにアクセスすること、データをオフロードすること、またはデータをアップロードすることを可能にし得る。通信システムを利用する製造品などの製造品は、記憶媒体ＱＱ２２１中に有形に具現され得、記憶媒体ＱＱ２２１はデバイス可読媒体を備え得る。
【０１５４】
図１１では、処理回路要素ＱＱ２０１は、通信サブシステムＱＱ２３１を使用してネットワークＱＱ２４３ｂと通信するように設定され得る。ネットワークＱＱ２４３ａとネットワークＱＱ２４３ｂとは、同じ１つまたは複数のネットワークまたは異なる１つまたは複数のネットワークであり得る。通信サブシステムＱＱ２３１は、ネットワークＱＱ２４３ｂと通信するために使用される１つまたは複数のトランシーバを含むように設定され得る。たとえば、通信サブシステムＱＱ２３１は、ＩＥＥＥ８０２．ＱＱ２、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能性または受信機機能性をそれぞれ実装するための、送信機ＱＱ２３３および／または受信機ＱＱ２３５を含み得る。さらに、各トランシーバの送信機ＱＱ２３３および受信機ＱＱ２３５は、回路構成要素、ソフトウェアまたはファームウェアを共有し得るか、あるいは、代替的に、別個に実装され得る。
【０１５５】
示されている実施形態では、通信サブシステムＱＱ２３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステムＱＱ２３１は、セルラー通信と、Ｗｉ−Ｆｉ通信と、Ｂｌｕｅｔｏｏｔｈ通信と、ＧＰＳ通信とを含み得る。ネットワークＱＱ２４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワークＱＱ２４３ｂは、セルラーネットワーク、Ｗｉ−Ｆｉネットワーク、および／またはニアフィールドネットワークであり得る。電源ＱＱ２１３は、ＵＥ  ＱＱ２００の構成要素に交流（ＡＣ）または直流（ＤＣ）電力を提供するように設定され得る。
【０１５６】
本明細書で説明される特徴、利益および／または機能は、ＵＥ  ＱＱ２００の構成要素のうちの１つにおいて実装されるか、またはＵＥ  ＱＱ２００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステムＱＱ２３１は、本明細書で説明される構成要素のうちのいずれかを含むように設定され得る。さらに、処理回路要素ＱＱ２０１は、バスＱＱ２０２上でそのような構成要素のうちのいずれかと通信するように設定され得る。別の例では、そのような構成要素のうちのいずれかは、処理回路要素ＱＱ２０１によって実行されたとき、本明細書で説明される対応する機能を実施する、メモリに記憶されたプログラム命令によって表され得る。別の例では、そのような構成要素のうちのいずれかの機能性は、処理回路要素ＱＱ２０１と通信サブシステムＱＱ２３１との間で分割され得る。別の例では、そのような構成要素のうちのいずれかの非計算集約的機能が、ソフトウェアまたはファームウェアで実装され得、計算集約的機能がハードウェアで実装され得る。
【０１５７】
図１２：いくつかの実施形態による仮想化環境。
【０１５８】
図１２は、いくつかの実施形態によって実装される機能が仮想化され得る、仮想化環境ＱＱ３００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【０１５９】
いくつかの実施形態では、本明細書で説明される機能の一部または全部は、ハードウェアノードＱＱ３３０のうちの１つまたは複数によってホストされる１つまたは複数の仮想環境ＱＱ３００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０１６０】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーションＱＱ３２０によって実装され得る。アプリケーションＱＱ３２０は、処理回路要素ＱＱ３６０とメモリＱＱ３９０−１とを備えるハードウェアＱＱ３３０を提供する、仮想化環境ＱＱ３００において稼働される。メモリＱＱ３９０−１は、処理回路要素ＱＱ３６０によって実行可能な命令ＱＱ３９５を含んでおり、それにより、アプリケーションＱＱ３２０は、本明細書で開示される特徴、利益、および／または機能のうちの１つまたは複数を提供するように動作可能である。
【０１６１】
仮想化環境ＱＱ３００は、１つまたは複数のプロセッサのセットまたは処理回路要素ＱＱ３６０を備える、汎用または専用のネットワークハードウェアデバイスＱＱ３３０を備え、１つまたは複数のプロセッサのセットまたは処理回路要素ＱＱ３６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリＱＱ３９０−１を備え得、メモリＱＱ３９０−１は、処理回路要素ＱＱ３６０によって実行される命令ＱＱ３９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）ＱＱ３７０を備え得、ネットワークインターフェースコントローラ（ＮＩＣ）ＱＱ３７０は物理ネットワークインターフェースＱＱ３８０を含む。各ハードウェアデバイスは、処理回路要素ＱＱ３６０によって実行可能なソフトウェアＱＱ３９５および／または命令を記憶した、非一時的、永続的、機械可読記憶媒体ＱＱ３９０−２をも含み得る。ソフトウェアＱＱ３９５は、１つまたは複数の（ハイパーバイザとも呼ばれる）仮想化レイヤＱＱ３５０をインスタンス化するためのソフトウェア、仮想マシンＱＱ３４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【０１６２】
仮想マシンＱＱ３４０は、仮想処理、仮想メモリ、仮想ネットワーキングまたはインターフェース、および仮想記憶域を備え、対応する仮想化レイヤＱＱ３５０またはハイパーバイザによって稼働され得る。仮想アプライアンスＱＱ３２０の事例の異なる実施形態が、仮想マシンＱＱ３４０のうちの１つまたは複数上で実装され得、実装は異なるやり方で行われ得る。
【０１６３】
動作中に、処理回路要素ＱＱ３６０は、ソフトウェアＱＱ３９５を実行してハイパーバイザまたは仮想化レイヤＱＱ３５０をインスタンス化し、ハイパーバイザまたは仮想化レイヤＱＱ３５０は、時々、仮想マシンモニタ（ＶＭＭ）と呼ばれることがある。仮想化レイヤＱＱ３５０は、仮想マシンＱＱ３４０に、ネットワーキングハードウェアのように見える仮想動作プラットフォームを提示し得る。
【０１６４】
図１２に示されているように、ハードウェアＱＱ３３０は、一般的なまたは特定の構成要素をもつスタンドアロンネットワークノードであり得る。ハードウェアＱＱ３３０は、アンテナＱＱ３２２５を備え得、仮想化を介していくつかの機能を実装し得る。代替的に、ハードウェアＱＱ３３０は、多くのハードウェアノードが協働し、特に、アプリケーションＱＱ３２０のライフサイクル管理を監督する、管理およびオーケストレーション（ＭＡＮＯ）ＱＱ３１００を介して管理される、（たとえば、データセンターまたは顧客構内機器（ＣＰＥ）の場合のような）ハードウェアのより大きいクラスタの一部であり得る。
【０１６５】
ハードウェアの仮想化は、いくつかのコンテキストにおいて、ネットワーク機能仮想化（ＮＦＶ）と呼ばれる。ＮＦＶは、多くのネットワーク機器タイプを、データセンターおよび顧客構内機器中に位置し得る、業界標準高ボリュームサーバハードウェア、物理スイッチ、および物理記憶域上にコンソリデートするために使用され得る。
【０１６６】
ＮＦＶのコンテキストでは、仮想マシンＱＱ３４０は、プログラムを、それらのプログラムが、物理的な仮想化されていないマシン上で実行しているかのように稼働する、物理マシンのソフトウェア実装形態であり得る。仮想マシンＱＱ３４０の各々と、その仮想マシンに専用のハードウェアであろうと、および／またはその仮想マシンによって仮想マシンＱＱ３４０のうちの他の仮想マシンと共有されるハードウェアであろうと、その仮想マシンを実行するハードウェアＱＱ３３０のその一部とは、別個の仮想ネットワークエレメント（ＶＮＥ）を形成する。
【０１６７】
さらにＮＦＶのコンテキストでは、仮想ネットワーク機能（ＶＮＦ）は、ハードウェアネットワーキングインフラストラクチャＱＱ３３０の上の１つまたは複数の仮想マシンＱＱ３４０において稼働する特定のネットワーク機能をハンドリングすることを担当し、図１２中のアプリケーションＱＱ３２０に対応する。
【０１６８】
いくつかの実施形態では、各々、１つまたは複数の送信機ＱＱ３２２０と１つまたは複数の受信機ＱＱ３２１０とを含む、１つまたは複数の無線ユニットＱＱ３２００は、１つまたは複数のアンテナＱＱ３２２５に結合され得る。無線ユニットＱＱ３２００は、１つまたは複数の適切なネットワークインターフェースを介してハードウェアノードＱＱ３３０と直接通信し得、無線アクセスノードまたは基地局など、無線能力をもつ仮想ノードを提供するために仮想構成要素と組み合わせて使用され得る。
【０１６９】
いくつかの実施形態では、何らかのシグナリングが、ハードウェアノードＱＱ３３０と無線ユニットＱＱ３２００との間の通信のために代替的に使用され得る制御システムＱＱ３２３０を使用して、実現され得る。
【０１７０】
図１３：いくつかの実施形態による、中間ネットワークを介してホストコンピュータに接続された通信ネットワーク。
【０１７１】
図１３を参照すると、一実施形態によれば、通信システムが、無線アクセスネットワークなどのアクセスネットワークＱＱ４１１とコアネットワークＱＱ４１４とを備える、３ＧＰＰタイプセルラーネットワークなどの通信ネットワークＱＱ４１０を含む。アクセスネットワークＱＱ４１１は、ＮＢ、ｅＮＢ、ｇＮＢまたは他のタイプの無線アクセスポイントなど、複数の基地局ＱＱ４１２ａ、ＱＱ４１２ｂ、ＱＱ４１２ｃを備え、各々が、対応するカバレッジエリアＱＱ４１３ａ、ＱＱ４１３ｂ、ＱＱ４１３ｃを規定する。各基地局ＱＱ４１２ａ、ＱＱ４１２ｂ、ＱＱ４１２ｃは、有線接続または無線接続ＱＱ４１５上でコアネットワークＱＱ４１４に接続可能である。カバレッジエリアＱＱ４１３ｃ中に位置する第１のＵＥ  ＱＱ４９１が、対応する基地局ＱＱ４１２ｃに無線で接続するか、または対応する基地局ＱＱ４１２ｃによってページングされるように設定される。カバレッジエリアＱＱ４１３ａ中の第２のＵＥ  ＱＱ４９２が、対応する基地局ＱＱ４１２ａに無線で接続可能である。この例では複数のＵＥ  ＱＱ４９１、ＱＱ４９２が示されているが、開示される実施形態は、唯一のＵＥがカバレッジエリア中にある状況、または唯一のＵＥが対応する基地局ＱＱ４１２に接続している状況に等しく適用可能である。
【０１７２】
通信ネットワークＱＱ４１０はそれ自体で、スタンドアロンサーバ、クラウド実装サーバ、分散型サーバのハードウェアおよび／またはソフトウェアにおいて、あるいはサーバファーム中の処理リソースとして具現され得る、ホストコンピュータＱＱ４３０に接続される。ホストコンピュータＱＱ４３０は、サービスプロバイダの所有または制御下にあり得、あるいはサービスプロバイダによってまたはサービスプロバイダに代わって動作され得る。通信ネットワークＱＱ４１０とホストコンピュータＱＱ４３０との間の接続ＱＱ４２１およびＱＱ４２２は、コアネットワークＱＱ４１４からホストコンピュータＱＱ４３０に直接延び得るか、または随意の中間ネットワークＱＱ４２０を介して進み得る。中間ネットワークＱＱ４２０は、パブリックネットワーク、プライベートネットワーク、またはホストされたネットワークのうちの１つ、またはそれらのうちの２つ以上の組合せであり得、中間ネットワークＱＱ４２０は、もしあれば、バックボーンネットワークまたはインターネットであり得、特に、中間ネットワークＱＱ４２０は、２つまたはそれ以上のサブネットワーク（図示せず）を備え得る。
【０１７３】
図１３の通信システムは全体として、接続されたＵＥ  ＱＱ４９１、ＱＱ４９２とホストコンピュータＱＱ４３０との間のコネクティビティを可能にする。コネクティビティは、オーバーザトップ（ＯＴＴ）接続ＱＱ４５０として説明され得る。ホストコンピュータＱＱ４３０および接続されたＵＥ  ＱＱ４９１、ＱＱ４９２は、アクセスネットワークＱＱ４１１、コアネットワークＱＱ４１４、任意の中間ネットワークＱＱ４２０、および考えられるさらなるインフラストラクチャ（図示せず）を媒介として使用して、ＯＴＴ接続ＱＱ４５０を介して、データおよび／またはシグナリングを通信するように設定される。ＯＴＴ接続ＱＱ４５０が通過する参加する通信デバイスが、アップリンク通信およびダウンリンク通信のルーティングに気づいていないという意味で、ＯＴＴ接続ＱＱ４５０は透過的であり得る。たとえば、基地局ＱＱ４１２は、接続されたＵＥ  ＱＱ４９１にフォワーディング（たとえば、ハンドオーバ）されるべき、ホストコンピュータＱＱ４３０から発生したデータを伴う着信ダウンリンク通信の過去のルーティングについて、通知されないことがあるかまたは通知される必要がない。同様に、基地局ＱＱ４１２は、ＵＥ  ＱＱ４９１から発生してホストコンピュータＱＱ４３０に向かう発信アップリンク通信の将来ルーティングに気づいている必要がない。
【０１７４】
図１４：いくつかの実施形態による、部分的無線接続上で基地局を介してユーザ機器と通信するホストコンピュータ。
【０１７５】
次に、一実施形態による、前の段落において説明されたＵＥ、基地局およびホストコンピュータの例示的な実装形態が、図１４を参照しながら説明される。通信システムＱＱ５００では、ホストコンピュータＱＱ５１０が、通信システムＱＱ５００の異なる通信デバイスのインターフェースとの有線接続または無線接続をセットアップおよび維持するように設定された通信インターフェースＱＱ５１６を含む、ハードウェアＱＱ５１５を備える。ホストコンピュータＱＱ５１０は、記憶能力および／または処理能力を有し得る、処理回路要素ＱＱ５１８をさらに備える。特に、処理回路要素ＱＱ５１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータＱＱ５１０は、ホストコンピュータＱＱ５１０に記憶されるかまたはホストコンピュータＱＱ５１０によってアクセス可能であり、処理回路要素ＱＱ５１８によって実行可能である、ソフトウェアＱＱ５１１をさらに備える。ソフトウェアＱＱ５１１は、ホストアプリケーションＱＱ５１２を含む。ホストアプリケーションＱＱ５１２は、ＵＥ  ＱＱ５３０およびホストコンピュータＱＱ５１０において終端するＯＴＴ接続ＱＱ５５０を介して接続するＵＥ  ＱＱ５３０など、リモートユーザにサービスを提供するように動作可能であり得る。リモートユーザにサービスを提供する際に、ホストアプリケーションＱＱ５１２は、ＯＴＴ接続ＱＱ５５０を使用して送信されるユーザデータを提供し得る。
【０１７６】
通信システムＱＱ５００は、通信システム中に提供される基地局ＱＱ５２０をさらに含み、基地局ＱＱ５２０は、基地局ＱＱ５２０がホストコンピュータＱＱ５１０およびＵＥ  ＱＱ５３０と通信することを可能にするハードウェアＱＱ５２５を備える。ハードウェアＱＱ５２５は、通信システムＱＱ５００の異なる通信デバイスのインターフェースとの有線接続または無線接続をセットアップおよび維持するための通信インターフェースＱＱ５２６、ならびに基地局ＱＱ５２０によってサーブされるカバレッジエリア（図１４に図示せず）中に位置するＵＥ  ＱＱ５３０との少なくとも無線接続ＱＱ５７０をセットアップおよび維持するための無線インターフェースＱＱ５２７を含み得る。通信インターフェースＱＱ５２６は、ホストコンピュータＱＱ５１０への接続ＱＱ５６０を容易にするように設定され得る。接続ＱＱ５６０は直接であり得るか、あるいは、接続ＱＱ５６０は、通信システムのコアネットワーク（図１４に図示せず）を、および／または通信システムの外部の１つまたは複数の中間ネットワークを通過し得る。図示の実施形態では、基地局ＱＱ５２０のハードウェアＱＱ５２５は、処理回路要素ＱＱ５２８をさらに含み、処理回路要素ＱＱ５２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局ＱＱ５２０は、内部的に記憶されるかまたは外部接続を介してアクセス可能なソフトウェアＱＱ５２１をさらに有する。
【０１７７】
通信システムＱＱ５００は、すでに言及されたＵＥ  ＱＱ５３０をさらに含む。ＵＥ  ＱＱ５３０のハードウェアＱＱ５３５は、ＵＥ  ＱＱ５３０が現在位置するカバレッジエリアをサーブする基地局との無線接続ＱＱ５７０をセットアップおよび維持するように設定された、無線インターフェースＱＱ５３７を含み得る。ＵＥ  ＱＱ５３０のハードウェアＱＱ５３５は、処理回路要素ＱＱ５３８をさらに含み、処理回路要素ＱＱ５３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ  ＱＱ５３０は、ＵＥ  ＱＱ５３０に記憶されるかまたはＵＥ  ＱＱ５３０によってアクセス可能であり、処理回路要素ＱＱ５３８によって実行可能である、ソフトウェアＱＱ５３１をさらに備える。ソフトウェアＱＱ５３１は、クライアントアプリケーションＱＱ５３２を含む。クライアントアプリケーションＱＱ５３２は、ホストコンピュータＱＱ５１０のサポートのもとに、ＵＥ  ＱＱ５３０を介して人間のまたは人間でないユーザにサービスを提供するように動作可能であり得る。ホストコンピュータＱＱ５１０では、実行しているホストアプリケーションＱＱ５１２は、ＵＥ  ＱＱ５３０およびホストコンピュータＱＱ５１０において終端するＯＴＴ接続ＱＱ５５０を介して、実行しているクライアントアプリケーションＱＱ５３２と通信し得る。ユーザにサービスを提供する際に、クライアントアプリケーションＱＱ５３２は、ホストアプリケーションＱＱ５１２から要求データを受信し、要求データに応答してユーザデータを提供し得る。ＯＴＴ接続ＱＱ５５０は、要求データとユーザデータの両方を転送し得る。クライアントアプリケーションＱＱ５３２は、クライアントアプリケーションＱＱ５３２が提供するユーザデータを生成するためにユーザと対話し得る。
【０１７８】
図１４に示されているホストコンピュータＱＱ５１０、基地局ＱＱ５２０およびＵＥ  ＱＱ５３０は、それぞれ、図１３のホストコンピュータＱＱ４３０、基地局ＱＱ４１２ａ、ＱＱ４１２ｂ、ＱＱ４１２ｃのうちの１つ、およびＵＥ  ＱＱ４９１、ＱＱ４９２のうちの１つと同様または同等であり得ることに留意されたい。つまり、これらのエンティティの内部の働きは、図１４に示されているようなものであり得、別個に、周囲のネットワークトポロジーは、図１３のものであり得る。
【０１７９】
図１４では、ＯＴＴ接続ＱＱ５５０は、仲介デバイスおよびこれらのデバイスを介したメッセージの正確なルーティングへの明示的言及なしに、基地局ＱＱ５２０を介した、ホストコンピュータＱＱ５１０とＵＥ  ＱＱ５３０との間の通信を示すために抽象的に描かれている。ネットワークインフラストラクチャが、ルーティングを決定し得、ネットワークインフラストラクチャは、ＵＥ  ＱＱ５３０からまたはホストコンピュータＱＱ５１０を動作させるサービスプロバイダから、またはその両方からルーティングを隠すように設定され得る。ＯＴＴ接続ＱＱ５５０がアクティブである間、ネットワークインフラストラクチャは、さらに、ネットワークインフラストラクチャが（たとえば、ネットワークの負荷分散考慮または再設定に基づいて）ルーティングを動的に変更する決定を行い得る。
【０１８０】
ＵＥ  ＱＱ５３０と基地局ＱＱ５２０との間の無線接続ＱＱ５７０は、本開示全体にわたって説明される実施形態の教示に従う。様々な実施形態のうちの１つまたは複数は、無線接続ＱＱ５７０が最後のセグメントを形成するＯＴＴ接続ＱＱ５５０を使用して、ＵＥ  ＱＱ５３０に提供されるＯＴＴサービスの性能を改善し得る。より正確には、これらの実施形態の教示は、ビデオ処理のためのデブロックフィルタ処理を改善し、それにより、改善されたビデオ符号化および／または復号などの利益を提供し得る。
【０１８１】
１つまたは複数の実施形態が改善する、データレート、レイテンシおよび他のファクタを監視する目的での、測定プロシージャが提供され得る。測定結果の変動に応答して、ホストコンピュータＱＱ５１０とＵＥ  ＱＱ５３０との間のＯＴＴ接続ＱＱ５５０を再設定するための随意のネットワーク機能性がさらにあり得る。測定プロシージャおよび／またはＯＴＴ接続ＱＱ５５０を再設定するためのネットワーク機能性は、ホストコンピュータＱＱ５１０のソフトウェアＱＱ５１１およびハードウェアＱＱ５１５でまたはＵＥ  ＱＱ５３０のソフトウェアＱＱ５３１およびハードウェアＱＱ５３５で、またはその両方で実装され得る。実施形態では、ＯＴＴ接続ＱＱ５５０が通過する通信デバイスにおいてまたはそれに関連して、センサー（図示せず）が展開され得、センサーは、上記で例示された監視された量の値を供給すること、またはソフトウェアＱＱ５１１、ＱＱ５３１が監視された量を計算または推定し得る他の物理量の値を供給することによって、測定プロシージャに参加し得る。ＯＴＴ接続ＱＱ５５０の再設定は、メッセージフォーマット、再送信セッティング、好ましいルーティングなどを含み得、再設定は、基地局ＱＱ５２０に影響を及ぼす必要がなく、再設定は、基地局ＱＱ５２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータＱＱ５１０の測定を容易にするプロプライエタリＵＥシグナリングを伴い得る。測定は、ソフトウェアＱＱ５１１およびＱＱ５３１が、ソフトウェアＱＱ５１１およびＱＱ５３１が伝搬時間、エラーなどを監視する間にＯＴＴ接続ＱＱ５５０を使用して、メッセージ、特に空のまたは「ダミー」メッセージが送信されることを引き起こすことにおいて、実装され得る。
【０１８２】
図１５：いくつかの実施形態による、ホストコンピュータと、基地局と、ユーザ機器とを含む通信システムにおいて実装される方法。
【０１８３】
図１５は、一実施形態による、通信システムにおいて実装される方法を示すフローチャートである。通信システムは、図１３および図１４を参照しながら説明されたものであり得る、ホストコンピュータと基地局とＵＥとを含む。本開示の簡単のために、図１５への図面参照のみがこのセクションに含まれる。ステップＱＱ６１０において、ホストコンピュータはユーザデータを提供する。ステップＱＱ６１０の（随意であり得る）サブステップＱＱ６１１において、ホストコンピュータは、ホストアプリケーションを実行することによって、ユーザデータを提供する。ステップＱＱ６２０において、ホストコンピュータは、ＵＥにユーザデータを搬送する送信を始動する。（随意であり得る）ステップＱＱ６３０において、基地局は、本開示全体にわたって説明される実施形態の教示に従って、ホストコンピュータが始動した送信において搬送されたユーザデータをＵＥに送信する。（また、随意であり得る）ステップＱＱ６４０において、ＵＥは、ホストコンピュータによって実行されるホストアプリケーションに関連するクライアントアプリケーションを実行する。
【０１８４】
図１６：いくつかの実施形態による、ホストコンピュータと、基地局と、ユーザ機器とを含む通信システムにおいて実装される方法。
【０１８５】
図１６は、一実施形態による、通信システムにおいて実装される方法を示すフローチャートである。通信システムは、図１３および図１４を参照しながら説明されたものであり得る、ホストコンピュータと基地局とＵＥとを含む。本開示の簡単のために、図１６への図面参照のみがこのセクションに含まれる。本方法のステップＱＱ７１０において、ホストコンピュータはユーザデータを提供する。随意のサブステップ（図示せず）において、ホストコンピュータは、ホストアプリケーションを実行することによって、ユーザデータを提供する。ステップＱＱ７２０において、ホストコンピュータは、ＵＥにユーザデータを搬送する送信を始動する。送信は、本開示全体にわたって説明される実施形態の教示に従って、基地局を介して進み得る。（随意であり得る）ステップＱＱ７３０において、ＵＥは、送信において搬送されたユーザデータを受信する。
【０１８６】
図１７：いくつかの実施形態による、ホストコンピュータと、基地局と、ユーザ機器とを含む通信システムにおいて実装される方法。
【０１８７】
図１７は、一実施形態による、通信システムにおいて実装される方法を示すフローチャートである。通信システムは、図１３および図１４を参照しながら説明されたものであり得る、ホストコンピュータと基地局とＵＥとを含む。本開示の簡単のために、図１７への図面参照のみがこのセクションに含まれる。（随意であり得る）ステップＱＱ８１０において、ＵＥは、ホストコンピュータによって提供された入力データを受信する。追加または代替として、ステップＱＱ８２０において、ＵＥはユーザデータを提供する。ステップＱＱ８２０の（随意であり得る）サブステップＱＱ８２１において、ＵＥは、クライアントアプリケーションを実行することによって、ユーザデータを提供する。ステップＱＱ８１０の（随意であり得る）サブステップＱＱ８１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップＱＱ８３０において、ホストコンピュータへのユーザデータの送信を始動する。方法のステップＱＱ８４０において、ホストコンピュータは、本開示全体にわたって説明される実施形態の教示に従って、ＵＥから送信されたユーザデータを受信する。
【０１８８】
図１８：いくつかの実施形態による、ホストコンピュータと、基地局と、ユーザ機器とを含む通信システムにおいて実装される方法。
【０１８９】
図１８は、一実施形態による、通信システムにおいて実装される方法を示すフローチャートである。通信システムは、図１３および図１４を参照しながら説明されたものであり得る、ホストコンピュータと基地局とＵＥとを含む。本開示の簡単のために、図１８への図面参照のみがこのセクションに含まれる。（随意であり得る）ステップＱＱ９１０において、本開示全体にわたって説明される実施形態の教示に従って、基地局は、ＵＥからユーザデータを受信する。（随意であり得る）ステップＱＱ９２０において、基地局は、ホストコンピュータへの、受信されたユーザデータの送信を始動する。（随意であり得る）ステップＱＱ９３０において、ホストコンピュータは、基地局によって始動された送信において搬送されたユーザデータを受信する。
【０１９０】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを介して実装され得る。処理回路要素は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、それぞれの機能ユニットに、本開示の１つまたは複数の実施形態による、対応する機能を実施させるために使用され得る。
【０１９１】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路要素、デバイス、モジュール、プロセッサ、メモリ、論理固体および／または個別デバイス、コンピュータプログラムまたは命令などを含み得る。
【０１９２】
多くの異なる実施形態が、上記の説明および図面に関して本明細書で開示された。これらの実施形態のあらゆる組合せおよび部分組合せを文字通り説明および例示することは、過度に繰返しが多く、不明瞭にすることを理解されよう。したがって、すべての実施形態は、何らかのやり方および／または組合せで組み合わせられ得、図面を含む本明細書は、本明細書で説明される実施形態のすべての組合せおよび部分組合せと、それらを作製および使用する様式およびプロセスのすべての組合せおよび部分組合せとの完全な記載された説明を構成すると解釈されたく、ならびに、任意のそのような組合せまたは部分組合せに対する請求を支持するものとする。
【０１９３】
本明細書において、本発明の実施形態が開示され、特定の用語が採用されるが、それらの用語は、一般的および説明的な意味において使用されるにすぎず、限定の目的で使用されない。
【図１】
2021520720.tif 000003
【図２】
2021520720.tif 000004
【図３】
2021520720.tif 000005
【図４】
2021520720.tif 000006
【図５】
2021520720.tif 000007
【図６】
2021520720.tif 000008
【図７】
2021520720.tif 000009
【図８Ａ】
2021520720.tif 000010
【図８Ｂ】
2021520720.tif 000011
【図９】
2021520720.tif 000012
【図１０】
2021520720.tif 000013
【図１１】
2021520720.tif 000014
【図１２】
2021520720.tif 000015
【図１３】
2021520720.tif 000016
【図１４】
2021520720.tif 000017
【図１５】
2021520720.tif 000018
【図１６】
2021520720.tif 000019
【図１７】
2021520720.tif 000020
【図１８】
2021520720.tif 000021
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
メディアアクセス制御（ＭＡＣ）レイヤと物理（ＰＨＹ）レイヤとを含む複数のプロトコルレイヤを有する通信デバイスにおける方法であって、前記方法は、
前記ＭＡＣレイヤにおいて、キャリアアグリゲーションのための複数のキャリアを選択することであって、前記キャリアの各々が、それぞれのハイブリッド自動再送要求（ＨＡＲＱ）エンティティに関連する、複数のキャリアを選択することと、
前記ＭＡＣレイヤにおいて、トリガリングイベントに応答して、第１の通信デバイスによるサイドリンクキャリア再選択プロセスを始動することと
を含み、
前記トリガリングイベントは、
サイドリンクキャリアにおいて、設定されたサイドリンクグラントがないこと、
設定されたサイドリンクグラントが、設定されたＳＬグラントを伴うサイドリンクキャリアについて上位レイヤによって設定された最大許容変調符号化方式（ＭＣＳ）を使用することによってＲＬＣ  ＳＤＵを受け入れることができず、ＭＡＣエンティティが、前記ＲＬＣ  ＳＤＵをセグメント化しないことを選択すること、ならびに／あるいは
設定されたサイドリンクグラントを伴う（１つまたは複数の）送信が、設定されたサイドリンクグラントを伴うサイドリンクキャリアについて、サイドリンク論理チャネル中のデータのレイテンシ要件を果たすことができないこと、および前記ＭＡＣが、単一のＭＡＣ  ＰＤＵに対応する（１つまたは複数の）送信を実施しないことを選択すること、
のうちの少なくとも１つを含む、
方法。
【請求項２】
前記サイドリンクキャリア再選択プロセスを始動することが、前記トリガリングイベントに関連するキャリアおよび関連するＨＡＲＱイベントについてのみ実施され、
前記トリガリングイベントは、
特定のキャリア／ＨＡＲＱエンティティについて、ＳＬ＿ＲＥＳＯＵＲＣＥ＿ＲＥＳＥＬＥＣＴＩＯＮ＿ＣＯＵＮＴＥＲ＝０であり、かつ、前記ＳＬ＿ＲＥＳＯＵＲＣＥ＿ＲＥＳＥＬＥＣＴＩＯＮ＿ＣＯＵＮＴＥＲが１に等しかったとき、前記ＭＡＣが、等しい確率で、上位レイヤによって設定された確率を上回る、間隔［０、１］中の値をランダムに選択したこと、
特定のキャリア／ＨＡＲＱエンティティについて、前の秒中に、設定されたサイドリンクグラントにおいて指示されたリソース上でＭＡＣによって送信も再送信も実施されなかったこと、
特定のキャリア／ＨＡＲＱエンティティについて、ｓｌ−ＲｅｓｅｌｅｃｔＡｆｔｅｒが設定され、前記設定されたサイドリンクグラントにおいて指示されたリソース上の連続する未使用送信機会の数が、ｓｌ−ＲｅｓｅｌｅｃｔＡｆｔｅｒに等しいこと、および／または
特定のキャリアについて、リソースのプールが上位レイヤによって設定または再設定されること
のうちの少なくとも１つを含む、請求項１に記載の方法。
【請求項３】
前記サイドリンクキャリア再選択プロセスを始動することが、サイドリンク動作のために設定されたすべてのサイドリンクキャリアについて実施され、
前記トリガリングイベントは、
複数のキャリアにおける潜在的同時送信によってＵＥ能力および／または電力制限が経験されること、および／または
設定されたサイドリンクグラントを伴う送信は、前記ＵＥが、半二重制限により長時間前記キャリアをリッスン／検知することができないようなものであること
のうちの少なくとも１つを含む、請求項１に記載の方法。
【請求項４】
前記サイドリンクキャリア再選択プロセスを始動した後に、前のキャリアを使用し続け、前記前のキャリア上でリソース再選択を実施することと、第２のサイドリンクキャリアを選択し、前記第２のサイドリンクキャリア上で第２のサイドリンクグラントを設定することと、前記サイドリンクキャリアを使用することを中止し、他のサイドリンクキャリアを選択しないこととのうちの少なくとも１つを実施すること
をさらに含む、請求項１に記載の方法。
【請求項５】
メディアアクセス制御（ＭＡＣ）レイヤと物理（ＰＨＹ）レイヤとを含む複数のプロトコルレイヤを有する無線デバイスであって、
前記ＭＡＣレイヤにおいて、キャリアアグリゲーションのための複数のキャリアを選択することであって、前記キャリアの各々が、それぞれのハイブリッド自動再送要求（ＨＡＲＱ）エンティティに関連する、複数のキャリアを選択し、
前記ＭＡＣレイヤにおいて、トリガリングイベントに応答して、第１の通信デバイスによるサイドリンクキャリア再選択プロセスを始動するように適応され、
前記トリガリングイベントは、
サイドリンクキャリアにおいて、設定されたサイドリンクグラントがないこと、
設定されたサイドリンクグラントが、設定されたＳＬグラントを伴うサイドリンクキャリアについて上位レイヤによって設定された最大許容変調符号化方式（ＭＣＳ）を使用することによってＲＬＣ  ＳＤＵを受け入れることができず、ＭＡＣエンティティが、前記ＲＬＣ  ＳＤＵをセグメント化しないことを選択すること、ならびに／あるいは
設定されたサイドリンクグラントを伴う（１つまたは複数の）送信が、設定されたサイドリンクグラントを伴うサイドリンクキャリアについて、サイドリンク論理チャネル中のデータのレイテンシ要件を果たすことができないこと、および前記ＭＡＣが、単一のＭＡＣ  ＰＤＵに対応する（１つまたは複数の）送信を実施しないことを選択すること、
のうちの少なくとも１つを含む、無線デバイス。
【請求項６】
請求項２から４のいずれか一項に従って動作するように適応された、請求項５に記載の無線デバイス。
【請求項７】
通信ネットワークにおいて動作するように設定された通信デバイスの処理回路要素によって実行されるべきプログラムコードを備えるコンピュータプログラムであって、それにより、前記プログラムコードの実行が、前記通信デバイスに、請求項１から４のいずれか一項に記載の動作を実施させる、コンピュータプログラム。
【請求項８】
メディアアクセス制御（ＭＡＣ）レイヤと物理（ＰＨＹ）レイヤとを含む複数のプロトコルレイヤを有する第１の通信デバイスにおける方法であって、前記方法は、
前記ＭＡＣレイヤにおいて、サイドリンクインターフェースを介した第２の通信デバイスへの送信のためのデータを受信することと、
前記ＭＡＣレイヤにおいて、前記データから、第１および第２のＭＡＣプロトコルデータユニット（ＰＤＵ）を生成することと、
前記ＰＨＹレイヤが、それぞれ、前記第２の通信デバイスへのサイドリンク送信における前記第１および第２のＭＡＣ  ＰＤＵの送信のために使用するべきである利用可能なキャリアのセットからの選択された第１および第２のキャリアの指示とともに、第１の送信時間間隔（ＴＴＩ）における同時送信のために前記ＭＡＣレイヤから前記ＰＨＹレイヤに前記第１および第２のＭＡＣ  ＰＤＵを提供することと、
前記ＭＡＣレイヤにおいて、前記ＰＨＹレイヤから確認応答を受信することであって、前記確認応答は、前記選択された第１および第２のキャリア上での前記第１および第２のＭＡＣ  ＰＤＵの前記同時送信が成功裡に実施されたか否かを指示する、確認応答を受信することと
を含む、方法。
【請求項９】
前記ＭＡＣレイヤにおいて否定応答が受信されたＭＡＣ  ＰＤＵ送信について、
後続のＴＴＩにおける異なるキャリア上での同時送信から前記ＭＡＣ  ＰＤＵを除くことと、
前記ＰＨＹレイヤによって指示されたように異なるキャリアにおけるＭＡＣ  ＰＤＵの同時送信のために時間／周波数リソースを除く後続のＴＴＩにおける前記ＭＡＣ  ＰＤＵの送信のためのキャリア再選択および／またはリソース再選択をトリガすることと、
前記ＭＡＣ  ＰＤＵの１つまたは複数のＭＡＣサービスデータユニット（ＳＤＵ）を無線リンク制御（ＲＬＣ）バッファに返すことと、
前記ＭＡＣ  ＰＤＵ送信が不成功であったキャリア組合せおよび／または時間／周波数リソースに関係する情報を記憶することと、
成功裡に送信されなかった前記ＭＡＣ  ＰＤＵに関係する送信カウンタを進めることを控えることと
のうちの少なくとも１つを実施すること
をさらに含む、請求項８に記載の方法。
【請求項１０】
送信のための前記ＭＡＣレイヤにおいて受信された前記データが、無線リンク制御（ＲＬＣ）レイヤサービスデータユニット（ＳＤＵ）を備え、
前記第１および第２のＭＡＣ  ＰＤＵが、前記第１のＴＴＩ内に、それぞれ、前記第１および第２のキャリア上で送信され得るかどうかを評価することは、前記ＰＨＹが、同時に前記第１および第２のキャリア上で送信することが可能であるかどうか、前記第１および第２のキャリア上での送信のための電力バジェットが圧倒されるかどうか、前記第１および第２のキャリア上での同時送信が、電力スペクトル密度（ＰＳＤ）不平衡につながり得るかどうか、強い干渉ノードが前記第１または第２のキャリア上で検出されるかどうか、前記第１または第２のキャリアが、サイドリンクデータを受信することまたはＵｕ送信を監視することのためにビジーかどうか、前記第１および第２のキャリアが、Ｕｕデータを受信または送信するためにビジーかどうか、ならびに前記ＰＨＹレイヤが、送信機切替え時間に対する制限により、前記第１および第２のキャリア上で送信することが可能であるかどうか、のうちの少なくとも１つに依存する、請求項８に記載の方法。
【請求項１１】
前記ＰＨＹレイヤにおいて、前記第１および第２のＭＡＣ  ＰＤＵが、前記第１のＴＴＩ内に、それぞれ、前記第１および第２のキャリア上で送信され得るかどうかを評価することと、
前記評価に少なくとも部分的に基づいて、前記選択された第１および第２のキャリア上での前記第１および第２のＭＡＣ  ＰＤＵの同時送信が成功裡に実施されたか否かを指示する前記確認応答を生成することと
をさらに含む、請求項８から１０のいずれか一項に記載の方法。
【請求項１２】
メディアアクセス制御（ＭＡＣ）レイヤと物理（ＰＨＹ）レイヤとを含む複数のプロトコルレイヤを有する無線デバイスであって、
前記ＭＡＣレイヤにおいて、サイドリンクインターフェースを介した第２の通信デバイスへの送信のためのデータを受信し、
前記ＭＡＣレイヤにおいて、前記データから、第１および第２のＭＡＣプロトコルデータユニット（ＰＤＵ）を生成し、
前記ＰＨＹレイヤが、それぞれ、前記第２の通信デバイスへのサイドリンク送信における前記第１および第２のＭＡＣ  ＰＤＵの送信のために使用するべきである利用可能なキャリアのセットからの選択された第１および第２のキャリアの指示とともに、第１の送信時間間隔（ＴＴＩ）における同時送信のために前記ＭＡＣレイヤから前記ＰＨＹレイヤに前記第１および第２のＭＡＣ  ＰＤＵを提供し、
前記ＭＡＣレイヤにおいて、前記ＰＨＹレイヤから確認応答を受信することであって、前記確認応答は、前記選択された第１および第２のキャリア上での前記第１および第２のＭＡＣ  ＰＤＵの前記同時送信が成功裡に実施されたか否かを指示する、確認応答を受信するように適応された、無線デバイス。
【請求項１３】
請求項９から１１のいずれか一項に従って動作するように適応された、請求項１２に記載の無線デバイス。
【請求項１４】
通信ネットワークにおいて動作するように設定された通信デバイスの処理回路要素によって実行されるべきプログラムコードを備えるコンピュータプログラムであって、それにより、前記プログラムコードの実行が、前記通信デバイスに、請求項８から１１のいずれか一項に記載の動作を実施させる、コンピュータプログラム。
【請求項１５】
メディアアクセス制御（ＭＡＣ）レイヤと物理（ＰＨＹ）レイヤとを含む複数のプロトコルレイヤを有する第１の通信デバイスにおける方法であって、前記方法は、
前記ＭＡＣレイヤにおいて、サイドリンクインターフェースを介した第２の通信デバイスへの送信のためのデータを受信することと、
前記ＭＡＣレイヤにおいて、前記データから、第１および第２のＭＡＣプロトコルデータユニット（ＰＤＵ）を生成することと、
前記第１および第２のＭＡＣ  ＰＤＵを送信するための１つまたは複数のキャリアの利用可能性に関する前記ＰＨＹレイヤからの情報を受信することと、
前記ＰＨＹレイヤからの前記情報に基づいて、前記第１および第２のＭＡＣ  ＰＤＵの送信のための前記１つまたは複数のキャリアから第１および第２のキャリアを選択するためのキャリア選択または再選択プロシージャを実施することと、
前記選択された第１および第２のキャリアの指示とともに、第１の送信時間間隔（ＴＴＩ）における同時送信のために前記ＭＡＣレイヤから前記ＰＨＹレイヤに前記第１および第２のＭＡＣ  ＰＤＵを提供することと
を含む、方法。
【請求項１６】
前記ＰＨＹレイヤからの前記情報は、
前記ＭＡＣレイヤが将来のＴＴＩにおいて同時送信のために選択するべきでないキャリアまたは前記キャリア上の時間／周波数リソースの指示、
前記ＰＨＹレイヤからの前記情報が指示する、送信のために利用不可能であるキャリア組合せおよび／または時間／周波数リソースの指示、および
前記ＰＨＹレイヤからの前記情報が指示する、送信のために利用可能であるキャリア組合せおよび／または時間／周波数リソースの指示
のうちの１つを含む、請求項１５に記載の方法。
【請求項１７】
前記ＰＨＹレイヤによって指示されたように異なるキャリアにおけるＭＡＣ  ＰＤＵの同時送信のために時間／周波数リソースを除く前記第１および第２のＭＡＣ  ＰＤＵのうちの少なくとも１つの送信のためのキャリア再選択および／またはリソース再選択をトリガすることと、
前記ＰＨＹレイヤからの前記情報が指示する、送信のために利用不可能であるキャリア組合せおよび／または時間／周波数リソースに関係する情報を記憶することと
をさらに含む、請求項１５または１６に記載の方法。
【請求項１８】
前記ＰＨＹレイヤにおいて、前記選択された第１および第２のキャリア上での前記第１および第２のＭＡＣ  ＰＤＵの同時送信が成功裡に実施され得るか否かの指示を生成することと、
前記指示を前記ＭＡＣレイヤに送信することと
をさらに含む、請求項１５から１７のいずれか一項に記載の方法。
【請求項１９】
前記第１および第２のＭＡＣ  ＰＤＵが、前記第１のＴＴＩ内に、それぞれ、前記第１および第２のキャリア上で送信され得るかどうかを評価することは、前記ＰＨＹが、同時に前記第１および第２のキャリア上で送信することが可能であるかどうか、前記第１および第２のキャリア上での送信のための電力バジェットが圧倒されるかどうか、前記第１および第２のキャリア上での同時送信が、電力スペクトル密度（ＰＳＤ）不平衡につながり得るかどうか、強い干渉ノードが前記第１または第２のキャリア上で検出されるかどうか、前記第１または第２のキャリアが、サイドリンクデータを受信することまたはＵｕ送信を監視することのためにビジーかどうか、前記第１および第２のキャリアが、Ｕｕデータを受信または送信するためにビジーかどうか、ならびに前記ＰＨＹレイヤが、送信機切替え時間に対する制限により、前記第１および第２のキャリア上で送信することが可能であるかどうか、のうちの少なくとも１つに依存する、請求項１８に記載の方法。
【請求項２０】
メディアアクセス制御（ＭＡＣ）レイヤと物理（ＰＨＹ）レイヤとを含む複数のプロトコルレイヤを有する無線デバイスであって、
前記ＭＡＣレイヤにおいて、サイドリンクインターフェースを介した第２の通信デバイスへの送信のためのデータを受信し、
前記ＭＡＣレイヤにおいて、前記データから、第１および第２のＭＡＣプロトコルデータユニット（ＰＤＵ）を生成し、
前記第１および第２のＭＡＣ  ＰＤＵを送信するための１つまたは複数のキャリアの利用可能性に関する前記ＰＨＹレイヤからの情報を受信し、
前記ＰＨＹレイヤからの前記情報に基づいて、前記第１および第２のＭＡＣ  ＰＤＵの送信のための前記１つまたは複数のキャリアから第１および第２のキャリアを選択するためのキャリア選択または再選択プロシージャを実施し、
前記選択された第１および第２のキャリアの指示とともに、第１の送信時間間隔（ＴＴＩ）における同時送信のために前記ＭＡＣレイヤから前記ＰＨＹレイヤに前記第１および第２のＭＡＣ  ＰＤＵを提供するように適応された、無線デバイス。
【請求項２１】
請求項１６から１９のいずれか一項に従って動作するように適応された、請求項２０に記載の無線デバイス。
【請求項２２】
通信ネットワークにおいて動作するように設定された通信デバイスの処理回路要素によって実行されるべきプログラムコードを備えるコンピュータプログラムであって、それにより、前記プログラムコードの実行が、前記通信デバイスに、請求項１５から１９のいずれか一項に記載の動作を実施させる、コンピュータプログラム。
【国際調査報告】
2021520720.tif 000022
2021520720.tif 000023